(57)【要約】  ポンピング可能な食材材料の塊から（例えば、挽肉から）３次元製品を成形するための設備。当該設備は、給送ポンプと、多数の型キャビティを有する移動可能な型部材を有する成形デバイスとを有する。移動可能な型部材の経路に対して充填位置には、塊給送部材が配置され、該塊給送部材は、給送ポンプの出口に接続される。該部材はハウジングを有し、該ハウジングは、長手方向軸を有する細長いチャンバーを定め、かつ、一対の離間した長い側壁と、短い端面壁と、型部材の経路に沿う充填位置にて型部材に面する底壁とを有する。底壁は、前記型キャビティの経路にまたがる１つ以上の排出開口部によって形成された排出口を備え、食材の塊が前記排出口を通って型キャビティの各列の中へと流れるようになっている。塊給送部材は、単一の細長いプランジャーを備え、該単一の細長いプランジャーは、チャンバーにスライド可能に受け入れられ、側壁と端面壁との間をスライドする。少なくとも一方の側壁が、前記側壁の大部分にまたがる１つ以上の導入開口部によって形成された導入口を備える。【選択図】図１
2020513752.tif 000002
【特許請求の範囲】
【請求項１】
ポンピング可能な食材材料の塊から（例えば、挽肉から）３次元製品を成形するための設備（１）であって、当該設備は：
−  食材の塊用の給送ポンプ（５）を有し、
−  給送ポンプドライブ（ＭＰ）を有し、
−  成形デバイス（２０）を有し、該成形デバイス（２０）は：
−  フレーム（２１）を有し、
−  多数の型キャビティ（２５）を有する移動可能な型部材（２２）を有し、該多数の型キャビティ（２５）はそれぞれ、前記型キャビティの中への食材の塊の導入用の充填開口部を有し、前記型部材は、経路に沿って移動するように前記フレームによって移動可能に支持され、かつ、多数の型キャビティは、前記型部材の前記経路に対して直角をなす垂直軸方向の別個の位置に配置された型キャビティを含むパターンにて配置され、
−  型部材ドライブ（ＭＤ）を有し、該型部材ドライブ（ＭＤ）は、前記経路に沿って前記型部材を移動させるように適合しており、
−  前記の移動可能な型部材の前記経路に対して充填位置に配置された塊給送部材（３０）を有し、該塊給送部材は、前記給送ポンプ（５）の出口に接続され、前記塊給送部材はハウジング（３１）を有し、該ハウジング（３１）は、前記垂直軸方向に延びる長手方向チャンバー軸を有する細長いチャンバー（３２）を定め、前記ハウジングは一対の離間した長い側壁（３３）を有し、該一対の離間した長い側壁（３３）は、長さを有し、かつ、前記長手方向チャンバー軸に対して概して平行であり、前記ハウジングは短い端面壁（３４）を有し、該短い端面壁（３４）は、前記側壁にそのそれぞれの長手方向端部にて相互接続し、前記ハウジングは、前記型部材（２２）に面する底壁（３６）を有し、 
かつ、前記底壁（３６）は排出口を備え、該排出口は、前記垂直軸方向に、前記の多数の型キャビティ（２５）の前記経路にまたがる１つ以上の排出開口部（３７ａ，ｂ）によって形成され、食材の塊が、前記成形デバイスの作動の最中に前記排出口を通って前記型キャビティの中へと流れるようになっており、
その特徴は、
前記塊給送部材（３０）が単一の細長いプランジャー（４０）を備え、該単一の細長いプランジャー（４０）が、前記チャンバー（３２）にスライド可能に受け入れられ、前記底壁に対する前記プランジャーの移動の範囲で、前記底壁（３６）とは概して反対側に、前記側壁（３３）と前記端面壁（３４）との間をスライドし、前記の移動の範囲が、上限および下限によって境界を作られ、
当該設備がプランジャー加圧アセンブリー（５０）を有し、該プランジャー加圧アセンブリー（５０）は、前記プランジャー（４０）が制御可能な圧力にて前記底壁（３６）に向けて付勢されることを引き起こすように適合しており、
少なくとも１つの側壁（３３）が、前記チャンバーの中への食材の塊の導入用の導入口（３５）を備え、前記導入口は、前記側壁の前記長さの少なくとも大部分にまたがる１つ以上の導入開口部によって形成され、例えば、前記の１つ以上の導入開口部は組み合されて、ほぼ前記チャンバー（３２）の長さである長さを有し、前記側壁および端面壁はそれぞれ、前記導入口の上を延びる部分を有し、
当該設備がプランジャー位置センサー（４４）を有し、該プランジャー位置センサー（４４）は、前記プランジャー（４０）の１つ以上の位置に対応するプランジャー位置信号を提供するように適合しており、前記の１つ以上の位置は、例えば、前記プランジャーの上の位置および下の位置を含み、
当該設備がコントローラー（９０）を有し、該コントローラー（９０）は、前記プランジャー加圧アセンブリー（５０）、前記プランジャー位置センサー（４４）および前記給送ポンプ（５）に連結され、 
該コントローラー（９０）が、前記塊給送部材の前記チャンバー（３２）および／または前記型キャビティ（２５）における前記の食材の塊についての標的充填圧力を入力するように適合しており、 
かつ、前記コントローラーが、前記プランジャー加圧アセンブリー（５０）を作動させるように適合しており（例えば、コンピューター化されたコントローラーがプログラミングされ）、前記チャンバー（３２）内の前記の食材の塊が、入力された標的充填圧力に基づいて前記の単一の細長いプランジャー（４０）によって実質的に一定の圧力にて加圧された状態で維持されるようになっており、
前記コントローラー（９０）が、前記プランジャー位置信号に基づいて前記チャンバーの中への食材の塊の導入を制御するように適合しており、前記給送ポンプによる食材の塊の前記導入は、前記プランジャーが前記底壁から離れるように移動することを引き起こし、例えば、前記コントローラーは、前記プランジャーが前記の移動の範囲の下限付近または下限である所定の下の位置に到達した時に食材の塊の導入を開始させ、かつ、前記導入は、前記プランジャーが前記の移動の範囲の上限付近または上限である上の位置に到達した時に停止されることである、
前記設備。
【請求項２】
前記プランジャー（４０）が、前記プランジャーの移動の方向において見た時に前記底壁（３６）上に架空の遮られない投影を有し、かつ、前記排出口（３７ａ，ｂ）が、完全に前記プランジャーの前記の架空の遮られない投影の中に配置される、請求項１に記載の設備。
【請求項３】
前記プランジャーの移動の前記方向が、前記ハウジングの前記底壁（３６）に対して直角をなす、請求項１または２に記載の設備。
【請求項４】
前記導入口が、単数の細長いスロット付きの通路（３５）または前記側壁の前記長さに沿って分布する一連の通路である、請求項１〜３のいずれかに記載の設備。
【請求項５】
前記加圧アセンブリー（５０）が、１つ以上の空気圧式アクチュエーター（５１）（例えば、ヒンジポイント（５３）において前記フレームに蝶番で連結されたレバーアーム構造体（５２）上に係合する１つ以上の空気圧式アクチュエーター）を有し、前記レバーアーム構造体は、前記プランジャー（４０）に接続され、前記空気圧式アクチュエーターによってかけられる力の増幅を取得する、請求項１〜４のいずれかに記載の設備。
【請求項６】
前記底壁（３６）がスロットを有し、該スロットの中には交換可能な排出口本体（３６ａ，ｂ）が受け入れられ、１つの排出口と、異なる排出口を有する別の排出口本体（例えば、オリフィス付きの排出口を有する排出口本体および単一の直進するスロット排出口を有する排出口本体）との交換を可能にする、請求項１〜５のいずれかに記載の設備。
【請求項７】
前記塊給送部材の前記ハウジングの前記底壁が、オリフィス付きの口本体（３６ａ，ｂ）を備え、該オリフィス付きの口本体（３６ａ，ｂ）は多数の出口オリフィス（３７ａ，ｂ）を有し、該多数の出口オリフィス（３７ａ，ｂ）は前記排出口を形成し、前記の食材の塊が、多数の出口オリフィスを通って各型キャビティの中へと流れるようになっている、請求項１〜６のいずれかに記載の設備。
【請求項８】
前記のオリフィス付きの口本体が、多数のオリフィスを有する、オリフィス付きのバルブプレート（３６ｃ）と関連付けられ、該バルブプレートは、バルブプレートアクチュエーター（１３６）によって開いた位置と閉じた位置との間をその平面において移動可能であり、前記オリフィスはそれぞれ、前記の開いた位置では前記口本体（３６ａ，ｂ）における前記オリフィスと一線上に位置が合い、かつ、前記の閉じた位置では位置が合わない、請求項７に記載の設備。
【請求項９】
前記の多数の型キャビティ（２５）が、多数の型キャビティの１つ以上の列にて配置され、各列は、前記型部材の前記経路に対して直角をなして配置され、かつ、前記コントローラーは、前記バルブプレートアクチュエーター（１３６）に連結され、かつ、型キャビティの列が前記のオリフィス付きの口本体と位置が合った時に前記バルブを開いた位置にもたらすように適合しており、前記の加圧された食材の塊が型キャビティの前記列の中へと流れるようになっており、かつ、前記コントローラーは、型キャビティの前記列の充填が完了した後で前記バルブを閉じた位置にもたらすように適合している、請求項８に記載の設備。
【請求項１０】
前記型部材が型ドラム（２２）であり、該型ドラムは、外周ドラム表面（２３）と水平長手方向ドラム回転軸（２４）とを有し、前記ドラムは、前記水平軸の周りを旋回するように前記フレームによって回転可能に支持され、前記型ドラムは、前記ドラム表面に多数の型キャビティ（２５）の前記パターンを有し、該パターンは、型キャビティの多数の列を含み、該列は、周方向に離間し、かつ、それぞれ前記ドラム回転軸に対して概して平行に延び、各列は、前記の別個の垂直軸位置に多数のキャビティを有する、請求項１〜９のいずれかに記載の設備。
【請求項１１】
前記コントローラー（９０）が、前記型ドラムの前記ドライブ（ＭＤ）に連結され、かつ、前記コントローラーが、型キャビティの前記列が前記排出口と位置が合った時に回転速度を停止させ、または、下げるように適合している、請求項１０に記載の設備。
【請求項１２】
前記塊給送部材の前記ハウジング（１３０）が、その各側壁（１３３）に導入口（１３５）を有し、バルブ（１６１，１６２）が、前記導入口のそれぞれと関連付けられ、該バルブは、前記導入口を開閉するように作動可能であり、前記バルブはバルブアクチュエーターを有する、請求項１〜１１のいずれかに記載の設備。
【請求項１３】
前記ハウジングの第１の側壁（１３３）の上には第１のピストンポンプ（１０５）が取り付けられ、かつ、前記ハウジングの第２の側壁の上には第２のピストンポンプ（１０６）が取り付けられ、前記の第１および第２のピストンポンプはそれぞれ、ポンプチャンバーにおいて往復動可能である単一のポンプピストン（１０７，１０８）を有し、好ましくは、各ポンプピストン（１０７，１０８）は、前記導入口（１３５）の前記長さに実質的に対応する前記長手方向の長さを有する、請求項１２に記載の設備。
【請求項１４】
前記の第１および第２のピストンポンプ（１０５，１０６）が、前記塊給送部材ハウジング（１３０）に対してＶ字形に配置され、かつ、前記の第１および第２のピストンポンプ（１０５，１０６）がそれぞれ、各入口ダクト（１１０，１１１）に接続され、好ましくは、前記入口ダクトは、逆Ｖ字形に配置され、かつ、それらの上端にて共通のホッパー（１１２）において隣接し、該ホッパーは、その中に食材の塊の供給を受け入れるように適合しており、好ましくは、前記入口ダクト（１１０，１１１）はそれぞれ、前記導入口の前記長さに実質的に対応する前記長手方向の長さを有する、請求項１３に記載の設備。
【請求項１５】
ポンピング可能な食材材料の塊から（例えば、挽肉から）３次元製品を成形するための設備であって、当該設備は：
−  食材の塊用の給送ポンプ（５）を有し、
−  給送ポンプドライブ（ＭＰ）を有し、
−  成形デバイス（２０）を有し、該成形デバイス（２０）は：
−  フレーム（２１）を有し、
−  多数の型キャビティ（２５）を有する移動可能な型部材（２２）を有し、該多数の型キャビティ（２５）はそれぞれ、前記型キャビティの中への食材の塊の導入用の充填開口部を有し、前記型部材は、経路に沿って移動するように前記フレームによって移動可能に支持され、かつ、前記の多数の型キャビティは、それぞれ多数の型キャビティの１つ以上の列にて配置され、列における前記キャビティは、前記型部材の前記経路に対して直角をなす垂直軸方向の別個の位置に配置され、
−  型部材（ＭＤ）ドライブを有し、該型部材（ＭＤ）ドライブは、経路に沿って前記型部材を移動させるためのものであり、
−  前記の移動可能な型部材の前記経路に対して充填位置に配置された塊給送部材（３０）を有し、該塊給送部材は、前記給送ポンプ（５）の出口に接続され、前記塊給送部材はハウジングを有し、該ハウジングは、前記垂直軸方向に延びる長手方向軸を有する細長いチャンバー（３２）を定め、前記ハウジングは一対の離間した長い側壁（３３）を有し、該一対の離間した長い側壁（３３）は、長さを有し、かつ、前記長手方向軸に対して概して平行であり、前記ハウジングは短い端面壁（３４）を有し、該短い端面壁（３４）は、前記側壁にそのそれぞれの長手方向端部にて相互接続し、前記ハウジングは、前記型部材の前記経路に沿う前記充填位置にて前記型部材に面する底壁（３６）を有し、
かつ、前記底壁は排出口（３７）を備え、該排出口（３７）は、多数の型キャビティの前記の１つ以上の列の経路にまたがる１つ以上の排出開口部によって形成され、食材の塊が、前記排出口を通って型キャビティの各列の中へと流れるようになっており、
その特徴は、
前記塊給送部材（３０）が単一の細長いプランジャー（４０）を備え、該単一の細長いプランジャー（４０）が、前記チャンバー（３２）にスライド可能に受け入れられ、前記底壁（３６）とは概して反対側に、前記側壁（３３）と前記端面壁（３４）との間をスライドし、
前記塊給送部材がプランジャー脈動アセンブリー（７０）を有し、該プランジャー脈動アセンブリー（７０）は、型キャビティの連続する列の前記排出口との連続する位置合わせと同期されて、前記底壁に向かう前記プランジャーの移動の範囲内での前記プランジャー（４０）の周期的な脈動運動を引き起こすように適合しており、
少なくとも１つの側壁（３３）が導入口（３５）を備え、該導入口（３５）は、前記側壁の前記長さの少なくとも大部分にまたがる１つ以上の導入開口部によって形成され、前記側壁は、前記導入口の上を延びる部分を有し、
前記塊給送部材がさらにバルブ（６０）を有し、該バルブ（６０）は、前記導入口と関連付けられ、かつ、前記導入口を開閉するように作動可能であり、前記バルブは、バルブアクチュエーター（６５）を有し、
当該設備がコントローラー（９０）を有し、該コントローラー（９０）は、前記プランジャー脈動アセンブリー（７０）、前記バルブアクチュエーター（６５）および前記給送ポンプ（５）に連結され、
該コントローラー（９０）が、前記バルブ（６０）を作動させるように適合しており（例えば、コンピューター化されたコントローラーがプログラミングされ）、前記バルブが、型キャビティの列の前記排出口との連続する位置合わせおよび前記プランジャー（４０）の連続する脈動と同期されて開閉するようになっており、前記バルブが、型キャビティの列が前記排出口と位置が合った時に閉じるようになっており、
かつ、前記コンピューター（９０）が、前記プランジャー脈動アセンブリー（７０）を作動させるように適合しており、前記バルブ（６０）が閉じた状態では、前記の単一の細長いプランジャー（４０）が、前記底壁に向かう脈動を実行し、そのことによって、前記チャンバー（３２）における前記の食材の塊において圧脈を引き起こし、かつ、前記排出口と位置が合った型キャビティの前記列の中への食材の塊の移送を引き起こし、
かつ、前記コントローラー（９０）が、前記プランジャー（４０）の連続する脈動の間に前記バルブ（６０）を開け、かつ、前記給送ポンプ（５）を作動させるように適合しており、前記給送ポンプが、その時、前記の食材の塊で前記チャンバーを補充するようになっていることである、
前記設備。
【請求項１６】
前記プランジャー脈動デバイス（７０）が、１つ以上の空気圧式アクチュエーター（好ましくは、空気圧式ベローアクチュエーター）（７１）を有する、請求項１５に記載の設備。
【請求項１７】
ポンピング可能な食材材料の塊から（例えば、挽肉から）３次元製品を成形するための方法であって、先行する請求項の１つ以上に記載の設備が用いられる、前記方法。
【請求項１８】
前記塊給送部材が少なくとも１つの排出制御バルブ（３６ｃ）を備え、該少なくとも１つの排出制御バルブ（３６ｃ）は、前記排出口を閉じるように適合しており、例えば、前記バルブが開くことは、型キャビティの中への塊の流れのタイミングを制御するのに採用され、例えば、前記バルブは、オリフィス付きの口本体（３６ａ，ｂ）と組み合わされる、請求項１７に記載の方法。
【請求項１９】
前記の食材の塊が牛挽肉であり、かつ、オリフィス付きの口本体（３６ａ，ｂ）によって形成された排出口が用いられ、前記塊給送部材のオリフィス付きの挽き器本体におけるオリフィスは、２〜１２ミリメートル、例えば４〜７ミリメートル、例えば約６ミリメートルの直径を有する、請求項１７、１８のいずれかに記載の方法。
【請求項２０】
請求項１５、１６のいずれかに記載の設備が用いられ、前記排出口は、オリフィス付きの口本体（３６ａ，ｂ）によって形成され、かつ、塊給送部材チャンバーの中へと前記給送ポンプ（５）によってポンピングされる食材の塊の組成は、前記のオリフィス付きの口本体におけるオリフィスに関連し、前記組成における前記の食材の塊が、前記給送ポンプによって引き起こされる食材の塊の圧力の影響下では前記のオリフィス付きの口本体における前記オリフィスを通過し得ないようになっており、
かつ、前記脈動アセンブリー（７０）は、増大した圧力を引き起こし、前記の食材の塊が、前記のオリフィス付きの口本体における前記オリフィスを通過するようになっている、
請求項１７に記載の方法。
【請求項２１】
請求項１５、１６のいずれかに記載の設備が用いられ、例えば、前記排出口は、オリフィス付きの口本体（３６ａ，ｂ）によって形成され、かつ、前記の単一の細長いプランジャー（４０）は、前記底壁に向かう脈動を実行し、そのことによって、１０〜２０バールの圧力範囲で前記チャンバーにおける前記の食材の塊において圧脈を引き起こし、かつ、好ましくは、前記給送ポンプは、３〜７バールの圧力範囲にある圧力にて前記チャンバーの中へと前記の食材の塊（例えば、挽肉）を導入するように作動する、請求項１７に記載の方法。 
【発明の詳細な説明】
【技術分野】
【０００１】
本発明は、ポンピング可能な（ｐｕｍｐａｂｌｅ；ポンプ送り可能な）食材の塊（例えば、挽肉）から食料製品を成形するための設備および方法に関する。本発明は、有利なことに、ポンピング可能な肉の塊（例えば、肉のパテの製造用の牛挽肉）から肉製品を製造するために採用される。
【背景技術】
【０００２】
例えば肉のパテを製造するための既知の方法は、例えば国際公開第２０１５／０１２６９０号パンフレット（例えば、その図１、図１２および図１３を参照）に開示されているように、フレームと型ドラムとを有する設備の使用を伴い、該型ドラムは、外周ドラム表面と長手方向ドラム回転軸とを有する。この軸は水平である。ドラムは、ドラム回転軸の周りを旋回する（ｒｅｖｏｌｖｅ）ように、フレームによって回転可能に支持される。ドラムは、ドラム表面に多数の型キャビティの列を有し、該多数の型キャビティの列はそれぞれ、型キャビティの中への食材の塊（例えば、牛挽肉の塊）の導入用の充填開口部を有する。ドラムには型ドラムドライブが連結されて、回転方向にドラムを駆動させる。
【０００３】
充填位置には、塊給送部材が固定的に配置される。この塊給送部材は、給送ポンプの出口に接続される。塊給送部材は、長手方向軸を有する細長いチャンバーを定めるハウジングを有する。このハウジングは、一対の離間した長い側壁（長さを有し、かつ、長手方向軸に対して概して平行である）と、短い端面壁（前記側壁と、そのそれぞれの長手方向端部において相互接続する）と、底壁（型ドラムに面する）とを有する。
【０００４】
底壁は、多数の排出オリフィスによって形成された、オリフィス付きの（ｏｒｉｆｉｃｅｄ）排出口を備える。排出口の全体は、列における多数の型キャビティの経路にまたがり、食材の塊が、排出口を通って前記の１つのチャンバーから列を構成する型キャビティの中へと流れるようになっている。塊給送部材は、したがって、型キャビティの列の充填開口部が前記充填位置において排出口と連通する時に、チャンバーから型ドラムの型キャビティの通行列の中へと食材の塊を移送するように適合している。
【０００５】
型キャビティの中に充填された塊は、ドラムが形成された製品の解放または吐出位置に向かって前進するので、しばらくの間は前記キャビティに留まる。実施形態では、該設備は閉鎖部材を有し、該閉鎖部材は、充填位置において塊給送部材から下流方向に延び、かつ、充填された型キャビティを充填位置の下流で閉じたままの状態で一時的に維持する（例えば、塊がいっそう密着した食料製品になることを可能にするために）。
【０００６】
型キャビティにおける塊は、食料製品（例えば、肉のパテ）を形成する。
【０００７】
既知の設備は、塊給送部材の入口に接続された給送ポンプを有する。
【０００８】
食料製品解放またはノックアウト機構（例えば、型ドラムと関連付けられた）が提供され、かつ、充填位置の下流の製品除去位置において食料製品の除去を引き起こすか、または、促進するように適合している。例えば、ドラムに空気チャンネル（キャビティへと延び、かつ、ドラムと製品との間へと、前記チャンネルを通してドラムの頭端部におけるマニホールドから供給された空気を選択的に導入することを可能にする）を提供して、型キャビティからのその解放を促進することが知られている。その他の解放または除去機構（例えば、機械的吐出器を用いる）もまた、本技術分野で知られている。
【０００９】
かかる設備を用いた、成形された（ｍｏｕｌｄｅｄ）食料製品（例えば、肉のパテ）の生産は、概して：
−  ドラムをその回転方向に駆動させること（連続する、中断されない方式、もしくは、ドラム回転速度が周期的に変動する方式、または、スタート・ストップ方式でさえ）を含み、
−  給送ポンプを作動させて、塊給送部材へと食材の塊を給送し、かつ、前記給送ポンプを用いて前記塊給送部材のチャンバーに食材の塊の圧力を確立することを含み、
−  各通行型キャビティの中への、口を通した、加圧された食材の塊の移送を含み、
−  型キャビティからの成形された製品の解放（例えば、空気吐出による）を含む。
【００１０】
国際公開第２０１５／０１２６９０号パンフレットにおいて説明されているように、各列に多数のキャビティを有する長いドラム（例えば、長さ５００ｍｍ以上（例えば、１０００ｍｍ以上）のドラム）の使用は、増大した性能の達成を可能にする。しばしば、型キャビティは、多数の型キャビティの直線状の、または、直進する列にて配置され、前記列は、周方向に互いにずれた列を有するドラム軸に対して平行である。すべての型キャビティが同一の寸法のもの（例えば、円形の輪郭を有するキャビティ）であることもまた、かかる先行技術の型ドラムにおいては一般的である（しかしながら、同一でないキャビティを有するその他の実施形態も同様に知られている）。例えば、国際公開第００／３０４５８号パンフレットおよび国際公開第２００４／００２２２９号パンフレットには、既知の高性能食料製品成形設備の例が見られる。
【００１１】
全般的に、ドラムタイプの成形設備は、周知のスライドプレート成形デバイス（型キャビティの列を有する周期的に駆動される型プレートが、充填位置と解放またはノックアウト位置との間を周期的に行き来する）と比べて、高生産性能を可能にする。充填位置において、往復動式プレートにおける型キャビティの列は、食材の塊で充填される。このことは、例えば、米国特許第４，３５６，５９５号明細書に示されている。
【００１２】
国際公開第２０１５／０１２６９０号パンフレットでは、最終的に取得される食料製品の非均一性の問題が対処される（例えば、それらの見た目および形状に関して）。例えば、高性能ドラム成形デバイスの実用的な使用では、挽肉でできた円形の肉のパテのバッチにおいて、型キャビティの円形の輪郭からの目に見える偏差が存在することが観察される。これら形状偏差はまた、バッチ内で一貫していない。
【００１３】
国際公開第２０１５／０１２６９０号パンフレットでは、型キャビティの中への移送の前に塊給送部材における食材の塊を挽きステップに曝す移動可能な挽き器を提供することが提案される。このアプローチは利点を提供するが、挽きは食材の塊の組成を効果的に変化させ、このことは、塊のいっそう早い調製が前記の最終の挽きを考慮することを必要とする。このことは、実際には困難であろう（例えば、現行の実務とは有意に異なるので）。
【発明の概要】
【発明が解決しようとする課題】
【００１４】
したがって、前記の挽きの解決策の代替案として、または、それと組み合わせるために、本発明は、成形された食料製品（例えば、高性能ドラム成形設備を用いて取得された製品）の望まれない非均一性を解決する、または、少なくとも減少させる手段を提供することを目的とする。非均一性は形状に関するが、製品のその他の側面（例えば、後の調理もしくはフライのようなその他の側面に影響を与えるであろう組成（密度のような）または味全般）にも関するであろう。
【００１５】
本発明は、とりわけ、向上した多用途性および／または形成される製品の特性（例えば、上記の密度、食感、味、フライ性状などに鑑み）に関する制御を可能にする手段を提供することを目的とする。
【００１６】
本発明はまた、食料製品用の成形デバイスにおいて用いられる代替的な塊給送部材を提供することを目的とし、該塊給送部材は、上記目的の１つ以上を達成するのに用いられてもよい。
【課題を解決するための手段】
【００１７】
本発明は、主として、挽肉の塊（例えば、牛肉、鶏肉、豚肉）から形成される製品を対象とするが、その他の食材の塊（例えば、繊維性食材の塊）についても興味深いものとして見られる。例えば、食材の塊は、魚肉、ジャガイモ、米、（マメ科の）野菜（例えば、大豆）、海藻、ナッツ、キノコ類などのような食材を含んでいてもよく、主としてそれからなっていてもよい。
【００１８】
本発明は、その第１の態様によれば、ポンピング可能な食材材料の塊から（例えば、挽肉から）３次元製品を成形するための設備を提供し、当該設備は：
−  食材の塊のための給送ポンプを有し、
−  給送ポンプドライブを有し、
−  成形デバイスを有し、該成形デバイスは：
−  フレームを有し、
−  多数の型キャビティを有する移動可能な型部材を有し、該多数の型キャビティはそれぞれ、型キャビティの中への食材の塊の導入用の充填開口部を有し、型部材は、経路に沿って移動するようにフレームによって移動可能に支持され、かつ、多数の型キャビティは、型部材の経路に対して直角をなす垂直軸方向において別個の位置に配置された型キャビティを含むパターンにて配置され、
−  前記経路に沿って型部材を移動させるように適合した型部材ドライブを有し、
−  移動可能な型部材の経路に対して充填位置に配置された塊給送部材を有し、該塊給送部材は、給送ポンプの出口に接続され、前記塊給送部材は、前記垂直軸方向に延びる長手方向チャンバー軸を有する細長いチャンバーを定めるハウジングを有し、前記ハウジングは、一対の離間した長い側壁（長さを有し、かつ、前記長手方向チャンバー軸に対して概して平行である）と、短い端面壁（前記側壁と、そのそれぞれの長手方向端部において相互接続する）と、底壁（型部材に面する）とを有し、
かつ、前記底壁は、前記垂直軸方向に前記の多数の型キャビティの経路にまたがる１つ以上の排出開口部によって形成された排出口を備え、食材の塊が、成形デバイスの作動の最中に前記排出口を通って前記型キャビティの中へと流れるようになっており、 
その特徴は、
塊給送部材が、単一の細長いプランジャーを備え、該単一の細長いプランジャーは、前記チャンバーにスライド可能に受け入れられ、前記底壁に対する前記プランジャーの移動の範囲において、底壁とは概して反対側に、前記側壁と前記端面壁との間をスライドし、前記の移動の範囲は、上限および下限によって境界が作られ、
当該設備が、制御可能な圧力にて前記底壁に向かって前記プランジャーが付勢されることを引き起こすように適合したプランジャー加圧アセンブリーを有し、
少なくとも１つの側壁が、チャンバーの中への食材の塊の導入用の導入口を備え、前記導入口は、前記側壁の長さの少なくとも大部分にまたがる１つ以上の導入開口部によって形成され（例えば、前記１つ以上の導入開口部は組み合されて、ほぼチャンバーの長さである長さを有する）、前記側壁および端面壁はそれぞれ、前記導入口の上を延び、
当該設備が、前記プランジャーの１つ以上の位置（例えば、前記プランジャーの上の位置および下の位置を含む）に対応するプランジャー位置信号を提供するように適合したプランジャー位置センサーを有し、
当該設備が、前記プランジャー加圧アセンブリー、前記プランジャー位置センサーおよび前記給送ポンプに連結されたコントローラーを有し、
該コントローラーが、塊給送部材のチャンバーおよび／または型キャビティにおける食材の塊についての標的充填圧力を入力するように適合しており、
かつ、コントローラーが、プランジャー加圧アセンブリーを作動させるように適合しており（例えば、コンピューター化されたコントローラーが、プランジャー加圧アセンブリーを作動させるようにプログラミングされ）、前記チャンバー内の前記の食材の塊が、入力された標的充填圧力に基づいて、前記の単一の細長いプランジャーによって、実質的に一定の圧力にて加圧されたまま維持されるようになっており、
前記コントローラーが、プランジャー位置信号に基づいてチャンバーの中への食材の塊の導入を制御するように適合しており、給送ポンプによる食材の塊の前記導入は、プランジャーが底壁から離れるように移動することを引き起こすことである。
【００１９】
例えば、コントローラーは、前記プランジャーが前記の移動の範囲の下限付近または下限における所定の下の位置に到達した時に、食材の塊の導入を開始させるようにプログラミングされ、かつ、前記導入は、前記プランジャーが前記の移動の範囲の上限付近または上限における上の位置に到達した時に停止する。
【００２０】
請求項の特徴付け部分に列挙された技術的特徴の組み合わせは、向上した製品の形状の均一性および向上した質（例えば、食感、密度などに関して）を提供することが見出された。
【００２１】
単一の細長いプランジャーは、いわば、チャンバーにおけるすべての食材の塊の上に絶えず降りる、チャンバーの移動可能なルーフを形成する。塊は、概して、側壁チャンバーの全体の長さにわたって（少なくとも前記長さの大部分（例えば、少なくともその７５％）にわたって）、かつ、概して横方向にチャンバーの中に導入される。対照的に、例えば米国特許第５，６１８，５７１号明細書および米国特許第５，７９５，６１０号明細書において提案されているように、幅の狭い入口を通して上から塊を導入し、かつ、チャンバーの長さにわたって列になった多数の円形プランジャーを用いて食材の塊を加圧することは、塊において有意な加圧状態の変動および過度のせん断を局所的に作り出し、したがって、上記で対処された問題を悪化させるように思われる。
【００２２】
キャビティ（例えば、キャビティの列）を繰り返し充填することは、チャンバーがいっそういっぱいではなくなること、および、プランジャーがチャンバーの中に沈むことを引き起こす。このことは位置センサーによって感知され、かつ、適切な瞬間（例えば、予め設定された移動の範囲の下限に到達した時）に給送ポンプがチャンバーの再充填を開始する。型キャビティの充填プロセスはチャンバーの再充填の最中も継続するので、プランジャーが塊を加圧された状態で維持する一方で、給送ポンプは前記チャンバーを充填するように具現化される。充填は、予め設定されたプランジャーのレベルに到達する（例えば、位置センサーによって検出される）まで継続する。チャンバーの中への塊の流入は側壁における長い導入口を通るので、この流入は、これが製品の均一性および質を減じない方式で、チャンバーにおける塊の均質性を過度に妨げない（例えば、列になった型キャビティを見た時および／または製品の１つの列を後に成形された製品の列と比較した時）。
【００２３】
実施形態では、下限位置においてさえ、プランジャーは導入開口部を塞がず、この開口部が常にチャンバーと開いた連通状態であるようになっていることが想定される。例えば、プランジャー（その下限またはその下限付近における）と導入開口部との間に重複は起きないであろう。または、その他の実施形態では、プランジャーは、導入口の一部と重複するか、または、導入口の一部を覆い隠し、したがって、その効果的な流出を減少させ得るが、前記流出を閉鎖せず、または、塞がない。これら配置構成は、一旦コントローラーがプランジャー位置信号に基づいてチャンバーが食材の塊で補充される必要があることを確認すれば、導入口を通したチャンバーの中への塊の効果的な流入を保証する。
【００２４】
実際、チャンバーは、例えば、５００〜１０００ｍｍの長さを有していてもよく、例えば、１００〜２５０ｍｍの幅を有していてもよい。例えば、チャンバーの幅は１２０〜１８０ｍｍである。
【００２５】
例えば、導入口は、側壁における単数のスロットとして具現化され、前記スロットは、チャンバーの長さに概して対応する長さを有し、かつ、実用的な実施形態では２０〜６０ｍｍであってもよい高さを有する。例えば、導入口は、３０ｍｍ＋当該設備を用いて生産される最も厚みのある製品の厚さ（単位はｍｍ）の間である高さを有する。
【００２６】
実施形態では、導入口は、チャンバーの底壁３６から鉛直方向に離間した下縁を有する（例えば、前記の鉛直方向に離間した距離は、実用的な実施形態では２０〜５０ｍｍである）。導入口からの塊の流出が絶対に完全には塞がれないようなプランジャーの最も下の位置（例えば、最大でも、プランジャーはその最も下の位置において導入口の上部領域と重複するに過ぎない）と組み合されて、導入口のこの鉛直方向に離間した距離は、チャンバーの中への塊の流入によって過度に影響を受けていない排出口の上に塊の一部を維持するのに役立つ。
【００２７】
本発明の第１の態様の実用的な実施形態におけるプランジャーの移動の範囲は、５０〜１５０ｍｍであってもよい。
【００２８】
チャンバー内の塊の加圧の均一性および排出口を通した所望の流出に鑑み、前記プランジャーが前記プランジャーの移動の方向において見た時に底壁上に架空の遮られない投影を有することを考慮すれば、完全にプランジャーのこの架空の遮られない投影内に入るように排出口を配置することが好ましい。したがって、プランジャーは、排出口の１つ以上の開口部の中へと塊を押し込むように最も効果的に作用し、単一のプランジャーは、均一な方式でチャンバーにおける前記塊のすべてに対して作用する。
【００２９】
ある実施形態では、プランジャーの移動の方向は、塊給送部材ハウジングの底壁に対して直角をなす。例えば、プランジャーの移動の方向は、鉛直方向である。
【００３０】
ある実施形態では、プランジャーは、チャンバーに面した側をプラスチックカバー部材（例えば、トレイのような）によって覆われた金属プランジャー本体を有し、前記プラスチックカバー部材は、場合によっては、前記プランジャー本体とハウジングとの間の周シールまたはプランジャーの周辺に配置される１つ以上の別個のシール部材を同時に形成し、ハウジングの側壁および端面壁に対してシールする。
【００３１】
好ましくは、プランジャーの面は実質的に平坦であり、かつ、プランジャーの移動方向に対して直角に配向される。
【００３２】
ある実施形態では、塊給送部材ハウジングの側壁および端面壁は、金属（例えば、ステンレス鋼（例えば、鋳造された、または、溶接された金属ハウジング構造体））でできている。ある実施形態では、底壁はスロットを有し、該スロットの中には交換可能な口本体が配置され得、塊給送部材全体を変える必要を伴わずに排出口を変形させることを可能にする（例えば、型部材を別の型部材と（例えば、１つのドラムを、型キャビティの別のパターンおよび型キャビティの別の形状を有するドラムと）交換する時にも）。
【００３３】
ある実施形態では、側壁は、導入口を形成する交換可能な導入口を有する（例えば、１つのかかる口本体を別の口本体と置換することによって、導入口の効果的な開口を変化させることを可能にする）。例えば、金属製の塊給送部材ハウジングにおいて保持されるプラスチック製の導入口本体が提供され得る。金属ハウジングよりもプラスチック本体に所望の導入口を提供する方が容易であろう。
【００３４】
別の実施形態では、塊給送部材のハウジング（例えば、金属製の）は、塊給送部材の排出口（または少なくともその一部）および導入口の両方を形成する交換可能な本体をその中に取り付けるように適合していることが想定され得る（例えば、前記の交換可能な本体は少なくとも部分的にプラスチック製である）。
【００３５】
ある実施形態では、塊給送部材ハウジングおよびプランジャーは両方とも、好ましくはユニットとして成形デバイスに交換可能に取り付けられ、この対応する構成要素のセットを（例えば、ユニットとして）別の塊給送部材ハウジングおよびプランジャーのセットと変更することを可能にすることが想定される（例えば、当該設備によって取り扱われる食材の塊のタイプに基づいて）。
【００３６】
ある実施形態では、導入口は、単数の細長いスロットを有する通路、または、側壁の長さに沿って分布する一連の通路である。長手方向の延長は、最適には、プランジャーの長さに等しく、塊がプランジャーの下でチャンバーの中に均一に分布して流れるようになっている。導入口の長さは、必要とされる時には（例えば、構造的制約に鑑み）、いっそう短くてもよいが、好ましくはプランジャーの長さの少なくとも７５％である。
【００３７】
ある実施形態では、加圧アセンブリーは、プランジャーの移動の範囲にわたって実質的に一定の加圧を提供するように具現化され、成形された製品の均一性、食感および質を向上させる（例えば、挽肉の製品を作る時に）。
【００３８】
ある実施形態では、加圧アセンブリーは、１５または２０バールまでのチャンバーにおける塊の調整可能な圧力を作り出すように適合しており、例えば、コントローラーは、２０バールまでの範囲でこの圧力を設定することを可能にし、例えば、圧力は、オリフィス付きの口本体が用いられる時（例えば、牛挽肉を取り扱うため、および、家庭的な肉のパテの生産を所望するため）には１０バールより上に設定される。
【００３９】
非常に実用的な実施形態では、加圧アセンブリーは、１つ以上の空気圧式アクチュエーターを有し、前記の１つ以上のアクチュエーターについて空気圧を設定することが、チャンバーにおける塊の加圧を作り出すようになっている。このことは、実際には、空気圧縮機、前記圧縮機によって充填された圧力容器および空気圧レギュレーターを用いて、空気が調整可能な圧力にて前記の１つ以上の空気圧式アクチュエーターに供給されることを引き起こすことで効果的に行われ得る。空気圧レギュレーターは、コンピューター化されたコントローラーに連結される電子タイプのものであり得る。
【００４０】
ある実施形態では、加圧アセンブリーの１つ以上の空気式アクチュエーターは、ヒンジポイントにおいてフレームに蝶番で連結されたレバーアーム構造体上に係合する。このレバーアーム構造体は前記プランジャーに接続されて、１つ以上の空気式アクチュエーターによってかけられる力の増幅を取得する（例えば、チャンバーにおいて１０バールより上の塊の圧力を取得することに鑑み）。
【００４１】
ある実施形態では、底壁はスロットを有し、該スロットの中には交換可能な排出口本体が受け入れられて、１つの排出口本体と、異なる排出口を有する別の排出口本体（例えば、オリフィス付きの排出口を有する排出口本体および単一の直進するスロット排出口を有する排出口本体）との交換を可能にする。
【００４２】
ある実施形態では、例えば牛挽肉を取り扱うために、塊給送部材のハウジングの底壁は、排出口を形成する多数の出口オリフィスを有する、オリフィス付きの口本体を備え、前記の食材の塊が多数の出口オリフィスを通って各型キャビティの中へと流れるようになっている。
【００４３】
ある実施形態では、オリフィス付きの口本体は、多数のオリフィスを有する、オリフィス付きのバルブプレートと関連付けられ、該バルブプレートは、バルブプレートアクチュエーターによってその平面において開いた位置と閉じた位置との間を移動可能であり、前記オリフィスはそれぞれ、開いた位置では前記口本体における前記オリフィスと一線上に位置が合い（ａｌｉｇｎｅｄ）、かつ、閉じた位置では位置が合わない（ｎｏｎ−ａｌｉｇｎｅｄ）。
【００４４】
型部材（例えば、成形ドラム）のある実施形態では、多数の型キャビティが、多数の型キャビティの１つ以上の列にて配置され、各列は、型部材の経路に対して直角をなして配置される。プレートバルブが用いられる時、コントローラーはその時、好ましくはプレートバルブアクチュエーターに連結され、かつ、型キャビティの列が前記のオリフィス付きの口本体と位置が合った時にこのバルブを開いた位置にもたらすように適合しており、前記の加圧された食材の塊が、型キャビティのこの列の中へと流れるようになっており、かつ、コントローラーは、型キャビティの前記列の充填が完了した後でバルブを閉じた位置にもたらすように適合している。
【００４５】
ある実施形態では、型部材は、本技術分野で知られているように、１つ以上の型キャビティの列を有する往復動式型プレートである。
【００４６】
好ましい実施形態では、型部材は型ドラムであり、該型ドラムは、外周ドラム表面と、水平な長手方向ドラム回転軸とを有し、該ドラムは、水平な軸の周りを旋回するようにフレームによって回転可能に支持され、該型ドラムは、前記ドラム表面に多数の型キャビティの前記パターンを有し、該パターンは、型キャビティの多数の列を含み、該列は、周方向に離間し、かつ、前記ドラム回転軸に対して概して平行であり、各列は、前記の別個の垂直軸位置において多数のキャビティを有する。
【００４７】
先行技術の記載から明らかなように、ドラム成形デバイスおよび板部材成形デバイスの両方において、−移動可能な型部材の経路に対して直角をなして見た時に−離間した位置にキャビティが存在するように型キャビティのパターンを有することは周知である。
【００４８】
実用的な実施形態では、型キャビティパターンは、同一寸法の型キャビティで構成される（例えば、円形の輪郭を有する肉のパテを成形するために）。
【００４９】
型キャビティのパターンに関し、本発明は、高性能成形デバイス用の型ドラムの現在最も一般的なデザイン（該ドラムは、型キャビティの直進する列のパターンを有し、該列は、回転軸に対して本質的に平行である塊給送部材の口（例えば、単一のスロットまたはオリフィス付き）と組み合されたドラム回転軸に対して平行である）を含むすべての種類のパターンを可能にする。このデザインは、各列において、多数の型キャビティが同時に塊給送部材の口と連通すること、および、充填イベントが同時に起こることを必然的に伴う。
【００５０】
１つのかかる「垂直軸位置」において、１つ以上のキャビティが１つ以上のその他の「垂直軸位置」におけるものとは異なった形状であることもまた想定され得る。例えば小型の製品（例えば、ナゲットまたはいっそう小さいスープ肉製品）について、このことは関心であるであろうし、かつ、慎重に選択された種々の成形された製品が作り出され得、このことは消費者にとって魅力的であるであろう。
【００５１】
その他のパターン（例えば、螺旋状に延びる列のパターン、または、１つのキャビティが軸方向に隣接するキャビティに対して周方向にずれた、ねじれ形の配置構成にて配置されたドラムの型キャビティを有する）もまた、可能である。 
【００５２】
ある実施形態では、−ドラム成形デバイスにおいて−ドラムは、連続した、中断されない方式でその回転方向に駆動される。このことは、場合によっては、ドラムの旋回の最中、一定の回転速度であるが、ドラムドライブおよびコントローラーが旋回の最中にドラム回転速度の周期的変動を引き起こすこと（例えば、充填されるべきキャビティの列が排出口に近付くか、または、既にそれとの第１の重複状態にあるアプローチ期間にはドラム速度を増大させ、かつ、充填イベントの大部分もしくは全部が起こる時（例えば、口と型キャビティの充填開口部との重複によって形成される効果的な充填開口部が最も大きい時）にはドラムを減速または停止させる）もまた想定され得る。
【００５３】
ある実施形態では、コントローラーは型ドラムのドライブ（例えば、サーボ制御された電気モーターを含む）に連結され、コントローラーは、型キャビティの列が排出口と位置が合った時には回転速度を停止させ、または、低下させるように適合している。このことは、充填イベントが、型キャビティが停止している状態またはゆっくり移動している状態で実質的に起こることを可能にする。
【００５４】
ある実施形態では、給送ポンプは、容積型（ｐｏｓｉｔｉｖｅ  ｄｉｓｐｌａｃｅｍｅｎｔ）給送ポンプ（例えば、回転ベーンポンプ、回転ローブポンプ、ピストンポンプ）である。
【００５５】
ある実施形態では、ハウジングは、その各側壁に導入口を有し、バルブが前記導入口のそれぞれと関連付けられ、該バルブは、各導入口を開閉するように作動可能である。各バルブは、バルブアクチュエーターを有する。 
【００５６】
ある実施形態では、ハウジングの第１の側壁上に第１のピストンポンプが取り付けられ、かつ、ハウジングの第２の側壁上に第２のピストンポンプが取り付けられる。ここでは、前記の第１のピストンポンプおよび第２のピストンポンプはそれぞれ、好ましくは、前記導入口の前記長さに実質的に対応する前記長手方向の長さを有するポンプチャンバーにおいて往復動可能である単一のポンプピストンを有する。
【００５７】
別の実施形態では、２つの導入口は、単一のポンプ（例えば、ベーンポンプなど）に接続する共通のマニホールドに接続される。ピストンポンプであって、それぞれは各導入口に直接接続され、かつ、好ましくは、導入口の長さに実質的に対応する長さを有する単一のプランジャーを有する前記ピストンポンプの使用。
【００５８】
ある実施形態では、第１のピストンポンプおよび第２のピストンポンプは、チャンバーの反対側に２つの導入開口部を備える塊給送部材ハウジングに対してＶ字形に配置され、第１のピストンポンプおよび第２のピストンポンプはそれぞれ、それぞれの食材の塊の入口ダクトに接続される。これら入口ダクトは、好ましくは、逆Ｖ字形に配置され、かつ、共通のホッパー（その中で食材の塊の供給を受け入れる）において互いに隣接する。この実施形態は、国際公開第２０１５／０１２６９０号パンフレット（参照によって本明細書に組み込まれる）において開示されたポンプと共通のホッパーとのＶ字形配置構成に類似する。
【００５９】
前記国際公開第２０１５／０１２６９０号パンフレットにおいて説明された技術的特徴は、本発明に組み込まれてもよい（例えば、入口ダクトはそれぞれ、導入口（それに各ピストンポンプが接続される）の長さに実質的に対応する塊給送部材の長手方向の長さを有する）。
【００６０】
ある実施形態では、排出口は、多数の出口オリフィス（好ましくは、むしろ小さい直径のオリフィス（例えば、２〜６ミリメートルの範囲の直径を有するオリフィス））で構成される。オリフィスは、例えば、口の長さにわたって均一に分布し得（例えば、長方形格子）、または、例えばドラム上の型キャビティの周アレイの位置に対応してグループ分け（例えば、円形グループ）されてもよい。
【００６１】
オリフィス付きの口本体における出口オリフィスは、有利なことに、型キャビティの中への塊の所望の流入を取得するように寸法決めおよび配向される。例えば、出口オリフィスのうちのいくつかは、傾きを有していてもよく、塊が斜角にて型キャビティの中へと入るようになっており（例えば、いくつかの出口オリフィスは、型部材の動きとは逆に方向付けられた構成要素を有する）、かつ／または、いくつかの出口オリフィスは、型部材の動きに沿って方向付けられた傾きを有していてもよい。いくつかの出口オリフィスは、型部材の動きの経路に対して直角に方向付けられてもよい。いくつかの出口オリフィスは、その他の出口オリフィスが型キャビティの中心に配置された底壁部に向けて塊を放出する一方で、型キャビティの周壁部に向けて塊を放出するように方向付けられてもよい。
【００６２】
当業者はまた、出口オリフィスの断面積および断面形状を変化させてもよい（例えば、製品の外側領域（例えば、肉のパテの周領域）を形成する塊を提供するいっそう小さいオリフィスと、製品の内側領域を形成する塊を提供するいっそう大きいオリフィスとを有する）。また、断面積および配向は、出口オリフィスの長さにわたって変動してもよい（例えば、互いに対して角度をなした部分を有して）。
【００６３】
さらに有利な実施形態では、オリフィス付きの口本体がバルブ（例えば、オリフィス付きの口本体に組み込まれた）を備え、該バルブは、オリフィス付きの口本体においてオリフィスを開閉するように適合している。このことは、充填イベントの開始を引き起こすのに用いられるバルブ作用を可能にする。
【００６４】
実用的な実施形態では、バルブは、開いた位置と閉じた位置との間でその平面において移動可能である、オリフィス付きのバルブプレートを有する。例えば、オリフィス付きのバルブプレートはまた、オリフィスのあらゆる詰まりを回避することを可能にし、したがって、型キャビティの中への口本体を通した塊の信頼性高い通過を保証する。バルブプレートのその開いた位置と閉じた位置との間の移動は、言及された垂直軸方向であってもよいが、例えば、それに対して直角（したがって、型部材の動きの経路の方向）でもあり得る。
【００６５】
バルブプレートオリフィスは、口本体において隣接する出口オリフィスに断面積が類似していてもよいが、バルブプレートオリフィスは異なった形状（例えば、スロットが出口オリフィスの直径より長い、バルブプレートにおけるスロット付きの（ｓｌｏｔｔｅｄ）オリフィスおよび口本体における円筒形オリフィス）であることもまた想定され得る。例えば、スロット付きのオリフィスは、言及された垂直軸方向にそれらの長さとともに延びる。
【００６６】
実用的な実施形態では、オリフィス付きの口本体は、型部材の経路に隣接する口本体の出口面を形成するプラスチックのオリフィスを有する本体部を有する（例えば、ドラムとして具現化された移動可能な型部材の湾曲に対応する湾曲した出口面を有する）。プラスチックの実施形態は、容易な製造を可能にし、かつ、移動可能な型部材の過度の磨滅を回避する。
【００６７】
ある実施形態では、当該設備は、塊給送部材のチャンバーにおける食材の塊の実際の圧力を感知するように適合した食材の塊の圧力センサーを有し、好ましくは、該センサーは、チャンバーの上に、または、チャンバーの中に直接配置される。当該設備は、前記の食材の塊の圧力センサーに接続されたコントローラー（好ましくは、電子コントローラー）を有する。
【００６８】
ある実施形態は、例えば、デバイス上でかかる食材の塊を用いて実行される試験運転に基づいて、もしくは、履歴データ（例えば、デバイスの製造者もしくはその他の食料製品の製造者からの）に基づいてチャンバーにおける食材の塊についての標的圧力または標的圧力範囲を選択することと、加圧アセンブリーを適宜設定することとを有する。
【００６９】
説明されたように、型ドラムデバイスは主に、それらの高性能のために選択される。この性能は、とりわけ、ドラムの長さを増大させて単一のドラムでいっそう多くの食料製品を成形することによって向上し得る。このことは、大容量の食品生産設備にとって利益があるものとして見られる（例えば、成形された食料製品が、さらなる処理デバイス（例えば、オーブンまたはフライヤー）の中へと移る有意な幅（例えば、０．８または１．０メートル）のコンベヤ上で受け取られてもよいので）。本発明による方法は、オーブンまたはフライヤーへと形成された製品を運搬して、その中で製品をオーブン処理に供する、または、製品をフライするステップを含んでいてもよい。
【００７０】
ドラムの長さを増大させることに鑑み、本発明は、そのある実施形態において、充填位置において単一の塊給送部材だけを有するのではなく、並んだ配置構成にて充填位置に配置された第１の塊給送部材と第２の塊給送部材とを少なくとも有する設備を想定する。ここでは、各塊給送部材はその中に塊用のチャンバーを有し、該チャンバーは、他方の塊給送部材のチャンバーとは分離しており、場合によっては、第１のポンプおよび第２のポンプがそれぞれ、第１の塊給送部材および第２の塊給送部材に接続され、または、多数の塊給送部材が同一のポンプに接続される。当該設備は単一の型ドラムを有し、該単一の型ドラムは、ドラムの旋回の最中に第１の塊給送部材を通るドラム表面の第１の部分と、第２の塊給送部材を通るドラム表面の第２の部分とを有する。前記の単一のドラムの型キャビティは、前記の第１の塊給送部材および第２の塊給送部材によって充填され、ドラム表面の第１の部分および第２の部分はそれぞれ、ドラムの長手方向に見た時には多数（少なくとも２つ（例えば、４つ以上の））の長手方向位置において、かつ、ドラムの周位置において見た時には多数の周位置においてキャビティを有する各ドラム表面部分についての型キャビティパターンにて配置された多数の型キャビティを有する。
【００７１】
本発明の第１の態様はまた、ポンピング可能な食材材料の塊（例えば、挽肉）から３次元製品を成形するための方法に関し、当該方法には、本明細書に記載の設備が用いられる。 
【００７２】
給送ポンプは、塊給送部材へと食材の塊を給送するように作動する。ポンプは、好ましくは、容積型ポンプ（例えば、入口と出口とを有するポンプチャンバーにおいて旋回するベーンを有するローターを有するローターポンプ、または回転ローブポンプ、またはピストンポンプなど）である。
【００７３】
給送ポンプは、その入口においてホッパーに接続されてもよく、該ホッパーは、その中にポンピング可能な食材の塊（例えば、挽肉）のバッチを受け入れるように適合している。ホッパーは、空にされて塊の中に含まれる空気を減少させる。
【００７４】
本発明の実用的に好ましい実施形態では、塊給送部材は、塊給送部材の導入口に接続する漏斗本体を有する。漏斗本体は、例えば、実質的に三角形の形状である主たる壁部（それらの辺に沿って接続される）を有し、入口は、前記導入口を含有する前記側壁とは反対側に配置された前記の主たる壁部の頂点に配置される。 
【００７５】
本発明はまた、ポンピング可能な挽肉の塊から、肉製品（例えば、ハンバーガーパテ）を成形するための方法に関し、当該方法には、ポンピング可能な挽肉の塊から肉製品を成形するための成形設備が用いられる。
【００７６】
本発明はまた、ドラム回転、ポンプの作動についてのコンピューター制御を有する設備に関し、前記制御は、例えば、革新的な方法を実行するようにプログラミングされる（例えば、選択された食材の塊および形成される製品について設備に革新的な方法を実行させる所定のルーチンを有するメモリーを用いて）。
【００７７】
本発明は、その第２の態様によれば、ポンピング可能な食材材料の塊（例えば、挽肉）から３次元製品を成形するための設備を提供し、当該設備は：
−  食材の塊用の給送ポンプを有し、
−  給送ポンプドライブを有し、
−  成形デバイスを有し、該成形デバイスは：
−  フレームを有し、
−  多数の型キャビティを有する移動可能な型部材を有し、該多数の型キャビティはそれぞれ、型キャビティの中への食材の塊の導入用の充填開口部を有し、型部材は、経路に沿って移動するようにフレームによって移動可能に支持され、多数の型キャビティは、それぞれ多数の型キャビティの１つ以上の列にて配置され、列におけるキャビティは、型部材の経路に対して直角をなす垂直軸方向の別個の位置に配置され、
−  経路に沿って型部材を移動させるための型部材ドライブを有し、
−  移動可能な型部材の経路に対して充填位置に配置された塊給送部材を有し、該塊給送部材は、給送ポンプの出口に接続され、前記塊給送部材は、前記垂直軸方向に延びる長手方向軸を有する細長いチャンバーを定めるハウジングを有し、前記ハウジングは、一対の離間した長い側壁（長さを有し、かつ、前記長手方向軸に対して概して平行である）と、短い端面壁（前記側壁にそのそれぞれの長手方向端部において相互接続する）と、底壁（型部材の経路に沿った充填位置において型部材に面する）とを有し、
かつ、前記底壁は、多数の型キャビティの前記の１つ以上の列の経路にまたがる１つ以上の排出開口部によって形成された排出口を備え、食材の塊が前記排出口を通して型キャビティの各列の中へと流れるようになっており、
その特徴は、
塊給送部材が単一の細長いプランジャーを備え、該単一の細長いプランジャーは、前記チャンバーにスライド可能に受け入れられ、底壁とは概して反対側に前記側壁と前記端面壁との間をスライドし、
塊給送部材が、型キャビティの連続する列と前記排出口との連続する位置合わせと同期されて、前記底壁に向かう前記プランジャーの移動の範囲における前記プランジャーの周期的脈動運動を引き起こすように適合したプランジャー脈動アセンブリーを有し、
少なくとも１つの側壁が、前記側壁の長さの大部分にまたがる１つ以上の導入開口部によって形成された導入口を備え、前記側壁は、前記導入口の上を延びる部分を有し、
塊給送部材がさらに、前記導入口と関連付けられ、かつ、前記導入口を開閉するように作動可能であるバルブを有し、前記バルブはバルブアクチュエーターを有し、
当該設備が、前記プランジャー脈動アセンブリー、前記バルブアクチュエーターおよび前記給送ポンプに接続されたコントローラーを有し、
該コントローラーが、前記バルブが型キャビティの列と前記排出口との連続する位置合わせおよびプランジャーの連続する脈動と同期されて開閉するように前記バルブを作動させるように適合しており（例えば、コンピューター化されたコントローラーが前記バルブを作動させるようにプログラミングされ）、型キャビティの列が前記排出口と位置が合う時には、前記バルブが閉じるようになっており、
かつ、コントローラーが、プランジャー脈動アセンブリーを作動させるように適合しており、前記バルブが閉じている状態では、単一の細長いプランジャーが前記底壁に向かう脈動を実行し、そのことによって、前記チャンバーにおける前記の食材の塊における脈圧および前記排出口と位置が合った型キャビティの列の中への食材の塊の移送を引き起こすようになっており、
該コントローラーが、プランジャーの連続する脈動の間にバルブを開け、かつ、給送ポンプを作動させるように適合しており、前記給送ポンプがその後で前記の食材の塊でチャンバーを補充するようになっていることである。
【００７８】
把握されるように、この設備の塊給送部材はまた、本発明の第１の態様を参照して記載されたハウジングの中をスライドするプランジャーを備える。
【００７９】
本発明の第１の態様のように加圧アセンブリーによって加圧された状態でチャンバーにおける塊を維持するのとは対照的に、第２の態様は、導入口において効果的に閉じたチャンバーにおける塊の上に圧脈を作り出すことを提供し、前記圧脈が、導入口と給送ポンプとの間の軌道に存在する塊によって減衰されないようになっている。脈は、キャビティの列の充填とタイミングを合わせ、または、キャビティの列の充填と同期され、各脈がキャビティの列の充填を引き起こすようになっている。このアプローチは、特定の食材の塊および／または形成される製品について有利であろう（例えば、高い生産速度で）。例えば、該アプローチは、家庭的な挽肉のパテの生産であって、口がオリフィス付きの口であり、パテが基本的には挽肉の小さいカラムで構成される前記生産に有利であろう。
【００８０】
ある実施形態では、プランジャー脈動アセンブリーは、１つ以上の空気圧式ベローアクチュエーター（オンデマンドで繰り返しの高い衝撃力を作り出すそれらの能力で知られている）を有する。この空気圧式脈動の１つの欠点が、加圧空気の対応する消費使用であるが、空気圧の使用は、実際、単純かつロバストである。比較すると、加圧アセンブリーにおける１つ以上の空気圧式アクチュエーターによる圧力の設定は、加圧空気をほとんど消費しない。
【００８１】
本発明の第２の態様の脈動はまた、いくつかの非空気圧式機械的デバイスによって引き起こされてもよい（例えば、プランジャー用の傍心機構を用いて、例えば、プランジャーによって脈動の調整可能なストローク長さが実現される）。
【００８２】
本発明の第３の態様は、ポンピング可能な食材材料の塊から（例えば、挽肉から）３次元製品を成形するための設備に関し、当該設備は：
−  食材の塊用の給送ポンプを有し、
−  給送ポンプドライブを有し、
−  成形デバイスを有し、該成形デバイスは：
−  フレームを有し、
−  多数の型キャビティを有する移動可能な型部材を有し、該多数の型キャビティはそれぞれ、型キャビティの中への食材の塊の導入用の充填開口部を有し、型部材は、経路に沿って移動するようにフレームによって移動可能に支持され、かつ、多数の型キャビティは、型部材の経路に対して直角をなす垂直軸方向の別個の位置に配置された型キャビティを含むパターンにて配置され、
−  前記経路に沿って型部材を移動させるように適合した型部材ドライブを有し、
−  移動可能な型部材の経路に対して充填位置に配置された塊給送部材を有し、該塊給送部材は、給送ポンプの出口に接続され、前記塊給送部材は、前記垂直軸方向に延びる長手方向チャンバー軸を有する細長いチャンバーを定めるハウジングを有し、前記ハウジングは、一対の離間した長い側壁（長さを有し、かつ、前記長手方向チャンバー軸に対して概して平行である）と、短い端面壁（前記側壁と、そのそれぞれの長手方向端部において相互接続する）と、底壁（型部材に面する）とを有し、
かつ、前記底壁は、前記垂直軸方向に前記の多数の型キャビティの経路にまたがる１つ以上の排出開口部によって形成された排出口を備え、食材の塊が、成形デバイスの作動の最中に前記排出口を通って前記型キャビティの中へと流れるようになっており、
その特徴は、
塊給送部材が、チャンバー内の塊を加圧する（例えば、本明細書に記載の一定の加圧または脈動を実行する）ように作動可能であり、かつ、作動する、作動可能なチャンバー加圧部材（例えば、単一のプランジャーまたは多数のプランジャー（例えば、列にて））を備え、
塊給送部材のハウジングが、その第１の側壁に第１の導入口を有し、かつ、その第２の側壁に第２の導入口を有し、かつ、第１のバルブが前記の第１の導入口と関連付けられ、かつ、第２のバルブが前記の第２の導入口と関連付けられ、前記の第１のバルブおよび第２のバルブはそれぞれ、各導入口を開閉するように他方のバルブとは独立して制御可能であり、前記の第１のバルブおよび第２のバルブはそれぞれ、それぞれのバルブアクチュエーターを有することである。
【００８３】
本発明の第３の態様では、例えば、作動可能なチャンバー加圧部材は、単一のプランジャーとは異なり得る（例えば、多数のプランジャー（例えば、同時に作用する多数のプランジャー））。別の実施形態では、例えば、作動可能なチャンバー圧力部材は、内部流体圧によって拡張する（例えば、周期的に）チャンバー内の細長く、かつ、弾性的に拡張可能な中空部材である。
【００８４】
好ましくは、本発明の前記の第３の態様では、ハウジングの第１の側壁上には第１のピストンポンプが取り付けられ、かつ、前記ハウジングの第２の側壁上には第２のピストンポンプが取り付けられ、前記の第１のピストンポンプおよび第２のピストンポンプはそれぞれ、好ましくは、ポンプチャンバーにおいて往復動可能である単一のポンプピストンを有し、好ましくは、各ピストンは、前記導入口の前記長さに実質的に対応する前記長手方向の長さを有する。
【００８５】
好ましくは、本発明の前記の第３の態様では、各導入口は、各側壁の長さの少なくとも大部分にまたがる１つ以上の導入開口部によって形成される（例えば、前記の１つ以上の導入開口部は、組み合されて、ほぼチャンバーの長さである長さを有する）。
【００８６】
好ましくは、作動可能な圧力部材は、本発明の第１の態様および／または第２の態様を参照して説明されたような単一のプランジャーである。
【００８７】
好ましくは、当該設備は、プランジャー位置センサーを有し、該プランジャー位置センサーは、前記プランジャーの１つ以上の位置（例えば、前記プランジャーの上の位置および下の位置を含む）に対応するプランジャー位置信号を提供するように適合している。
【００８８】
例えば、当該設備は、本発明の第１の態様または第２の態様を参照して記載されたようなコントローラーを有する。 
【００８９】
本発明の第４の態様は、ポンピング可能な食材材料の塊から（例えば、挽肉から）３次元製品を成形するための設備に関し、当該設備は：
−  食材の塊用の給送ポンプを有し、
−  給送ポンプドライブを有し、
−  成形デバイスを有し、該成形デバイスは：
−  フレームを有し、
−  外周ドラム表面と長手方向ドラム回転軸とを有する型ドラムを有し、該ドラムは、ドラム回転軸の周りを旋回するようにフレームによって回転可能に支持され、前記外周表面は、多数の型キャビティを有し、該多数の型キャビティはそれぞれ、型キャビティの中への食材の塊の導入用の充填開口部を有し、多数の型キャビティは、前記長手方向ドラム回転軸の方向の別個の位置に配置された型キャビティを含むパターンにて配置され、
−  回転方向に型ドラムを駆動させるように適合した型ドラムドライブを有し、
−  外周ドラム表面に対して充填位置に配置された塊給送部材を有し、該塊給送部材は、給送ポンプの出口に接続され、前記塊給送部材は、長手方向ドラム回転軸の前記方向に延びる長手方向チャンバー軸を有する細長いチャンバーを定めるハウジングを有し、前記ハウジングは、一対の離間した長い側壁（長さを有し、かつ、前記長手方向チャンバー軸に対して概して平行である）と、短い端面壁（前記側壁と、そのそれぞれの長手方向端部において相互接続する）と、底壁（型部材に面する）とを有し、
前記底壁は、前記垂直軸方向に前記の多数の型キャビティの経路にまたがる１つ以上の排出開口部によって形成された排出口を備え、食材の塊が、成形デバイスの作動の最中に前記排出口を通って前記型キャビティの中へと流れるようになっており、
−  加圧空気食料製品吐出システムを有し、型ドラムは、前記型キャビティへと延びる空気ダクトを有し、かつ、型キャビティの範囲を定める表面の少なくとも一部が空気透過性であり（例えば、多孔質材料でできており）、前記空気ダクトはそれぞれ、前記型キャビティのうちの１つ以上に加圧空気を輸送し、前記空気が前記空気透過性型キャビティ表面部分を通過するようになっており、
かつ、前記加圧空気食料製品吐出システムはさらに、加圧空気源を有し、該加圧空気源は、加圧空気をその調整された吐出空気圧にて、その製品解放位置にある１つ以上の型キャビティと関連付けられた前記空気ダクトのうちの１つ以上へと給送し、前記製品解放位置における前記の１つ以上の型キャビティからの成形された食料製品の吐出を促進し、かつ／または、引き起こすように作動可能であり、
塊給送部材はチャンバー加圧部材を備え、該チャンバー加圧部材は、前記チャンバー内に配置され、かつ、前記給送ポンプとは別個であり、かつ、前記チャンバー内の塊を加圧するように適合しており、かつ、作動可能であり、好ましくは、前記チャンバー加圧部材は、単一の細長いプランジャーとして具現化され、該単一の細長いプランジャーは、前記チャンバーにスライド可能に受け入れられ、前記底壁に対する前記プランジャーの移動の範囲で、底壁とは概して反対側に前記側壁と前記端面壁との間をスライドし、
当該設備は加圧アセンブリーを有し、該加圧アセンブリーは、前記チャンバー加圧部材に対して作用して、前記チャンバー内の塊の前記加圧を引き起こすように適合しており（例えば、プランジャー加圧アセンブリーが、前記の単一の細長いプランジャーが、制御可能な圧力にて前記底壁に向かって付勢されることを引き起こすように適合しており）、
少なくとも１つの側壁が、チャンバーの中への食材の塊の導入用の導入口を備え、前記導入口は、１つ以上の導入開口部（好ましくは、前記側壁の長さの少なくとも大部分にまたがる）によって形成され、例えば、前記の１つ以上の導入開口部は、組み合されて、ほぼチャンバーの長さである長さを有し、前記側壁および端面壁はそれぞれ、前記導入口の上を延びる部分を有し、
−  コントローラーを有し、該コントローラーは、前記給送ポンプドライブ、加圧空気食料製品吐出システムおよび前記加圧アセンブリーに連結され、
該コントローラーは、塊給送部材のチャンバーおよび／または型キャビティにおける食材の塊についての標的充填圧力を入力するように適合しており、
コントローラーは、加圧アセンブリーを作動させるように適合しており、または、構成され（例えば、コンピューター化されたコントローラーが、加圧アセンブリーを作動させるようにプログラミングされ）、前記チャンバー内の前記の食材の塊が、入力された標的充填圧力に基づいて、前記のチャンバー加圧部材（例えば、前記の単一の細長いプランジャー）によって、好ましくは実質的に一定の圧力にて加圧されるようになっており、
かつ、コントローラーは、入力された標的充填圧力に基づいて前記加圧空気源による前記吐出空気圧を自動的に設定するように適合している。
【００９０】
全般的に、本発明の第４の態様の実施形態では、コントローラーは、オペレーターが増大した標的充填圧力を入力する時は吐出空気圧を自動的に増大させるように適合しており、かつ、コントローラーは、オペレーターが減少した標的充填圧力を入力する時は吐出空気圧を自動的に減少させるであろうことが想定される。このアプローチは、本明細書でさらに説明されるように、適切な空気吐出を保護することを可能にする。
【００９１】
吐出空気はまた、空気とは異なるガス（例えば、二酸化炭素ガス、窒素ガスなど）であってもよいことが注目される。
【００９２】
ある実施形態では、当該設備は単一の細長いプランジャーを有し、該単一の細長いプランジャーは、前記チャンバーにスライド可能に受け入れられ、前記底壁に対する前記プランジャーの移動の範囲で、底壁とは概して反対側に、前記側壁と前記端面壁との間をスライドし、かつ、当該設備はさらに、前記コントローラーに連結されたプランジャー位置センサーを有する。
【００９３】
ある実施形態では、コントローラーは、プランジャー位置信号に基づいてチャンバーの中への食材の塊の導入を制御するように適合しており、給送ポンプによる食材の塊の導入は、プランジャーが底壁から離れるように移動することを引き起こし、例えば、前記コントローラーは、前記プランジャーが前記の移動の範囲の下限付近にある、または、下限にある所定の下の位置に到達した時に食材の塊の導入を開始させ、かつ、前記導入は、前記プランジャーが前記の移動の範囲の上限付近にある、または、上限にある上の位置に到達した時に停止される。
【００９４】
本発明の第４の態様の実施形態では、当該設備は、前記の単一の細長いプランジャーを有し、該単一の細長いプランジャーは、前記チャンバーにスライド可能に受け入れられ、前記底壁に対する前記プランジャーの移動の範囲で、底壁とは概して反対側に、前記側壁と前記端面壁との間をスライドし、かつ、当該設備はさらに、前記コントローラーに連結されたプランジャー位置センサーを有し、
前記コントローラーは、プランジャー位置信号に基づいてチャンバーの中への食材の塊の導入を制御するように適合しており、給送ポンプによる食材の塊の前記導入は、プランジャーが底壁から離れるように移動することを引き起こし、例えば、前記コントローラーは、前記プランジャーが前記の移動の範囲の下限付近にある、または、下限にある所定の下の位置に到達した時に食材の塊の導入を開始させ、かつ、前記導入は、前記プランジャーが前記の移動の範囲の上限付近にある、または、上限にある上の位置に到達した時に停止される。
【００９５】
本発明の第４の態様のある実施形態では、前記プランジャーは、前記プランジャーの移動の方向において見た時に前記底壁上に架空の遮られない投影を有し、前記排出口は、完全に前記プランジャーの前記の架空の遮られない投影内に配置される。
【００９６】
本発明の第４の態様のある実施形態では、プランジャーの移動の前記方向は、前記ハウジングの前記底壁に対して直角をなす。
【００９７】
実施形態では、単一の細長いプランジャーは、いわば、チャンバーにおけるすべての食材の塊の上に絶えず降りる、チャンバーの移動可能なルーフを形成する。塊は、概して、側壁チャンバーの全体の長さにわたって（少なくとも前記長さの大部分（例えば、少なくともその７５％）にわたって）、かつ、概して横方向にチャンバーの中へと導入される。対照的に、例えば米国特許第５，６１８，５７１号明細書および米国特許第５，７９５，６１０号明細書において提案されているように、幅の狭い入口を通して上から塊を導入し、かつ、チャンバーの長さにわたって列になった多数の円形プランジャーを用いて食材の塊を加圧することは、塊において有意な加圧状態の変動および過度のせん断を局所的に作り出し、したがって、上記で対処された問題を悪化させるように思われる。
【００９８】
キャビティ（例えば、キャビティの列）を繰り返し充填することは、チャンバーがいっそういっぱいではなくなること、および、単一の細長いプランジャーがチャンバーの中に沈むことを引き起こす。このことは位置センサーによって感知され、かつ、適切な瞬間（例えば、予め設定された移動の範囲の下限に到達した時）に給送ポンプがチャンバーの再充填を開始する。型キャビティの充填プロセスはチャンバーの再充填の最中も継続するので、プランジャーが塊を加圧された状態で維持する一方で、給送ポンプは前記チャンバーを充填するように具現化される。充填は、予め設定されたプランジャーのレベルに到達する（例えば、位置センサーによって検出される）まで継続する。チャンバーの中への塊の流入は、好ましくは、側壁における長い導入口を通して行われるので、この流入は、これが製品の均一性および質を減じない方式で、チャンバーにおける塊の均質性を過度に妨げない（例えば、列になった型キャビティを見た時および／または製品の１つの列を後に成形された製品の列と比較した時）。
【００９９】
いくつかの実施形態においては、入力される充填圧力は、単一の値でなくてもよく、例えば、値の経時的なパラメーター（例えば、前記の経時的な（例えば、型キャビティもしくは型キャビティの列を充填するのにかかる期間にわたる）値を表すプロファイルまたはグラフの形態の）であってもよい。 
【０１００】
例えば、本発明の第４の態様の革新的な設備は、生産工程の最中に、オペレーターが、プランジャーが前記のいっそう高い充填圧力を実現することを引き起こす増大した標的充填圧力を入力し、結果的に、塊が型キャビティにおいてきつくくっつき、未だに不変の空気吐出が形成された製品を解放し得ない、または、適切に解放しないという問題の多い状況を回避するであろう。先行技術の設備では、この問題は、生産の停止を必要とし、コンベヤなどから不正確に成形された製品が除去される（例えば、手によって）ことを必要とするであろう。実用的な見地から、充填圧力は、オペレーターによる新しい設定に基づいてむしろ急速に増大してもよいことが注目される（例えば、型ドラムの数回以内の旋回で、または、いっそう速く）。
【０１０１】
過度の加圧空気消費が起きるだけでなく、製品が高過ぎる圧力にて空気によって吐出されることに起因してダメージを受けるであろうから、空気吐出圧力を高レベルに設定して上記問題がすべて一緒に起きることを回避することも解決策ではなく、少なくとも実用的な解決策ではないことが注目される。
【０１０２】
ある実施形態では、本発明の第４の態様の設備は、前記コントローラーに連結されたプランジャー位置センサーを有し、前記コントローラーは、プランジャー位置信号に基づいてチャンバーの中への食材の塊の導入を制御するように適合しており、給送ポンプによる食材の塊の前記導入は、プランジャーが底壁から離れるように移動することを引き起こし、例えば、前記コントローラーは、前記プランジャーが前記の移動の範囲の下限付近にある、または、下限にある所定の下の位置に到達した時に食材の塊の導入を開始させ、かつ、前記導入は、前記プランジャーが前記の移動の範囲の上限付近にある、または、上限にある上の位置に到達した時に停止される。
【０１０３】
例えば、コントローラーは、前記プランジャーが前記の移動の範囲の下限付近にある、または、下限にある所定の下の位置に到達した時に食材の塊の導入を開始させるようにプログラミングされ、かつ、前記導入は、前記プランジャーが前記の移動の範囲の上限付近にある、または、上限にある上の位置に到達した時に停止される。
【０１０４】
本発明の第４の態様の実施形態では、下限位置においてさえ、プランジャーは導入開口部を塞がず、この開口部が常にチャンバーと開いた連通状態であるようになっていることが想定される。例えば、プランジャー（その下限またはその下限付近における）と導入開口部との間に重複は起きないであろう。または、その他の実施形態では、プランジャーは、導入口の一部と重複するか、または、導入口の一部を覆い隠し、したがって、その効果的な流出を減少させ得るが、前記流出を閉鎖せず、または、塞がない。これら配置構成は、一旦コントローラーがプランジャー位置信号に基づいてチャンバーが食材の塊で補充される必要があることを確認すれば、導入口を通したチャンバーの中への塊の効果的な流入を保証する。
【０１０５】
本発明の第４の態様のある実施形態では、前記導入口は、単数の細長いスロット付きの通路、または、側壁の長さに沿って分布する一連の通路である。
【０１０６】
本発明の第４の態様のある実施形態では、前記加圧アセンブリーは、１つ以上の空気式アクチュエーター（例えば、ヒンジポイントにおいてフレームに蝶番で連結されたレバーアーム構造体上に係合する１つ以上の空気式アクチュエーターであって、前記レバーアーム構造体は前記の単一の細長いプランジャーに接続されて、前記空気式アクチュエーターによってかけられる力の増幅を取得する前記の１つ以上の空気式アクチュエーター）を有する。
【０１０７】
本発明の第４の態様のある実施形態では、前記底壁はスロットを有し、該スロットの中には交換可能な排出口本体が受け入れられて、１つの排出口本体と、異なる排出口を有する別の排出口本体（例えば、オリフィス付きの排出口を有する排出口本体および単一の直進するスロット排出口を有する排出口本体）との交換を可能にする。
【０１０８】
本発明の第４の態様のある実施形態では、前記塊給送部材の前記ハウジングの底壁は、排出口を形成する多数の出口オリフィスを有する、オリフィス付きの口本体を備え、前記の食材の塊が多数の出口オリフィスを通って各型キャビティの中へと流れるようになっている。場合によっては、オリフィス付きの口本体は、多数のオリフィスを有する、オリフィス付きのバルブプレートと関連付けられ、該バルブプレートは、バルブプレートアクチュエーターによってその平面において開いた位置と閉じた位置との間を移動可能であり、前記オリフィスはそれぞれ、開いた位置では前記口本体における前記オリフィスと一線上に位置が合い、そして、閉じた位置では位置が合わない。その変形として、前記の多数の型キャビティは、多数の型キャビティの１つ以上の列にて配置されてもよく、各列は、長手方向ドラム軸に対して実質的に平行に配置され、かつ、前記コントローラーは、前記バルブプレートアクチュエーターに連結され、かつ、型キャビティの列が前記のオリフィス付きの口本体と位置が合った時に前記バルブを開いた位置にもたらすように適合しており、前記の加圧された食材の塊が、型キャビティの前記列の中へと流れるようになっており、かつ、前記コントローラーは、型キャビティの前記列の充填が完了した後で前記バルブを閉じた位置にもたらすように適合している。
【０１０９】
本発明の第４の態様のある実施形態では、前記コントローラーはまた、前記型ドラムの前記ドライブに連結され、前記コントローラーは、ドラムの型キャビティの列が前記排出口と位置が合った時に回転速度を停止または低下させるように適合している。
【０１１０】
本発明の第４の態様の実施形態では、塊給送部材の前記ハウジングは、その各側壁に導入口を有し、前記導入口のそれぞれとバルブが関連付けられ、該バルブは前記導入口を開閉するように作動可能であり、前記バルブはバルブアクチュエーターを有する。場合によっては、前記ハウジングの第１の側壁上には第１のピストンポンプが取り付けられ、かつ、前記ハウジングの第２の側壁上には第２のピストンポンプが取り付けられ、前記の第１のピストンポンプおよび第２のピストンポンプはそれぞれ、ポンプチャンバーにおいて往復動可能である単一のポンプピストンを有し、好ましくは、各ポンプピストンは、前記導入口の前記長さに実質的に対応する前記長手方向の長さを有する。場合によっては、前記の第１のピストンポンプおよび第２のピストンポンプは、前記塊給送部材ハウジングに対しＶ字形に配置され、前記の第１のピストンポンプおよび第２のピストンポンプはそれぞれ、各入口ダクトに接続され、好ましくは、前記入口ダクトは、逆Ｖ字形に配置され、かつ、それらの上端にて共通のホッパーにおいて隣接し、該ホッパーは、食材の塊をその中に受け入れるように適合しており、好ましくは、前記入口ダクトはそれぞれ、前記導入口の前記長さに実質的に対応する前記長手方向の長さを有する。
【０１１１】
本発明の第４の態様の実施形態では、コントローラーはメモリーを有し、該メモリーの中には、選択可能な食材の塊のリスト（例えば、異なる挽肉製品を表す）が格納され、コントローラーは、選択可能な食材の塊の前記リストからの食材の塊の選択を入力するように適合しており、かつ、コントローラーはメモリーを有し、該メモリーの中には、所定の組み合わせ（一方は少なくともそれぞれの選択可能な食材の塊および前記標的充填圧力であり、かつ、他方は前記の自動的に設定される吐出空気圧である）が格納される。例えば、選択可能な食材の塊のリストは、鶏挽肉、脂肪の少ない牛挽肉、脂肪の多い牛挽肉、挽肉混合物、豚挽肉、魚肉などを有する。
【０１１２】
本発明の第４の態様の実施形態では、製品の吐出を目的とする型ドラムの空気ダクトの中への加圧空気の流れ（本明細書では、空気のバーストと呼ばれる）の期間は、実施形態において、空気ダクトの入口と連通するフレーム上に取り付けられた空気放出器に基づいていてもよく、前記連通が存在する限り、空気がダクトの中へと流れるようになっている。空気放出器および入口のデザインは、基本的に、ドラムのＲＰＭと一緒に吐出空気流れの期間を支配する。別の実施形態では、期間は、吐出空気制御バルブ（例えば、一方の圧縮機または圧縮空気貯蔵タンクと他方の吐出空気放出器との間にある）によって支配されることが想定され得る。別のデザインでは、ドラムに空気制御バルブが組み込まれ、製品の吐出のためのダクトの中への加圧空気の流れのタイミングおよび期間が支配される。
【０１１３】
本発明の第４の態様のある実施形態では、コントローラーはメモリーを有し、該メモリーの中には、選択可能な型ドラムのリスト（例えば、異なる型キャビティを有する型ドラムを表す）が格納され、コントローラーは、選択可能な型ドラムの前記リストからの型ドラムの選択を入力するように適合しており、かつ、コントローラーはメモリーを有し、該メモリーの中には、所定の組み合わせ（一方は少なくともそれぞれの選択可能な型ドラムおよび前記標的充填圧力であり、かつ、他方は前記の自動的に設定される吐出空気圧である）が格納される。この実施形態は、例えば、作動中の実際の型ドラムの自動認識を含んでいてもよい（例えば、トランスポンダーまたは型ドラムについてのその他の自動的に読み取り可能な識別を用いて）が、また、オペレーターがどのドラムが用いられているのかを入力することを必要としてもよい。例えば、１つの型ドラムは、第１のデザインの同一の型キャビティを備え、かつ、当該設備の１つ以上のその他の型ドラムはそれぞれ、第２、第３などのデザインの同一の型キャビティを備える。いくつかの実施形態では、単一の型ドラムが、異なるデザインの型キャビティのグループを有していてもよい（例えば、型キャビティの第１のデザインの１つ以上の列および型キャビティの第２のデザインの１つ以上の列）。
【０１１４】
本発明の第４の態様のある実施形態では、少なくとも１つの型ドラムが、第１の空気ダクトおよび第２の空気ダクトを少なくとも備え、該第１の空気ダクトおよび第２の空気ダクトはそれぞれ、前記型ドラムの型キャビティの対応する第１のグループおよび第２のグループへとそれぞれ延び、前記の第１のグループの前記型キャビティは前記の第２のグループとは異なり、かつ、前記コントローラーは、入力される標的充填圧力に基づいて、前記加圧空気源による前記の第１のグループからの食料製品の吐出のための第１のグループの吐出空気圧および前記の第２のグループからの食料製品の吐出のための異なる第２のグループの吐出空気圧を自動的に設定するように適合している（例えば、コンピューター化されたコントローラーがプログラミングされる）。
【０１１５】
本発明の第４の態様のある実施形態では、コントローラーはメモリーを有し、該メモリーの中には、選択可能な食材の塊のリストおよび選択可能な型ドラムのリストが格納され、かつ、コントローラーは、選択可能な食材の塊の前記リストからの食材の塊の選択を入力し、かつ、選択可能な型ドラムの前記リストからの型ドラムの選択を入力するように適合しており、かつ、コントローラーはメモリーを有し、該メモリーの中には、所定の組み合わせ（一方は少なくともそれぞれの選択可能な食材の塊、それぞれの選択可能な型ドラムおよび前記標的充填圧力であり、かつ、他方は前記の自動的に設定される吐出空気圧である）が格納される。
【０１１６】
本発明の第４の態様のある実施形態では、コントローラーはメモリーを有し、該メモリーの中には、選択可能な型ドラムのリスト（例えば、異なる型キャビティを有する型ドラムを表す）ならびに選択可能な塊給送部材またはその交換可能な口部材のリスト（例えば、異なる形状および／もしくは構造体を有する口（例えば、スロット付きの口もしくはオリフィス付きの口）を表す）が格納される。コントローラーは、選択可能な型ドラムの前記リストからの型ドラムの選択を入力し、かつ、前記各リストからの塊給送部材または交換可能な口部材の選択を入力するように適合している。コントローラーはメモリーを有し、該メモリーの中には、型ドラムおよび塊給送部材または交換可能な口部材のそれぞれの選択可能な組み合わせについて、入力される標的充填圧力と組み合されて、自動的に設定可能な吐出空気圧が格納される。このことは、オペレーターがどの型ドラムおよび塊給送部材またはその交換可能な口部材が存在するのかを単純に入力すること（このことは、場合によっては適切な自動化された認識デバイスによって自動的に行われ得る）、ならびに、標的充填圧力（これに基づいて、コントローラーが適切な吐出空気圧を自動的に設定するであろう）を入力することを可能にする。
【０１１７】
本発明の第４の態様のある実施形態では、少なくとも１つの型ドラムが、第１の空気ダクトおよび第２の空気ダクトを少なくとも備え、該第１の空気ダクトおよび第２の空気ダクトはそれぞれ、前記型ドラムの型キャビティの対応する第１のグループおよび第２のグループへとそれぞれ延びる。前記の第１のグループの型キャビティは、前記の第２のグループとは異なる（例えば、一般的形状、表面積、深さ、型表面の透過性などのうちの１つ以上に関して）。コントローラーは、入力される標的パラメーターに基づいて、前記加圧空気源による前記の第１のグループからの食料製品の吐出のための第１のグループの吐出空気圧および前記の第２のグループからの食料製品の吐出のための異なる第２のグループの吐出空気圧を自動的に設定するように適合している（例えば、コンピューター化されたコントローラーがプログラミングされる）。例えば、ドラムが、型キャビティの２つの異なるデザインの周方向に交互する列を有する。前記列からの食料製品の吐出のために単一の空気圧を提供する代わりに、この実施形態は、オペレーターが新たな標的充填圧力を入力する場合に自動的に調整される、異なる吐出空気圧の使用を想定する。このことは、１つの列について、異なる型キャビティを有する別の列と比べて異なる調整であってもよく、したがって、オペレーターに要求し過ぎることなく最適な吐出および空気使用を可能にする。
【０１１８】
ある実施形態では、コントローラーはメモリーを有し、該メモリーの中には、選択可能な食材の塊のリストおよび選択可能な型ドラムのリストが格納され、かつ、コントローラーは、選択可能な食材の塊の前記リストからの食材の塊の選択を入力し、かつ、選択可能な型ドラムの前記リストからの型ドラムの選択を入力するように適合している。コントローラーはメモリーを有し、該メモリーの中には、所定の組み合わせ（一方は少なくともそれぞれの選択可能な食材の塊、それぞれの選択可能な型ドラムおよび前記標的充填圧力であり、かつ、他方は前記の自動的に設定される吐出空気圧である）が格納される。
【０１１９】
コントローラーのメモリーは、表の形態で特定の標的充填圧力およびその他の項目をその中に格納してもよく、例えば、コントローラーが、表からの空気吐出圧力の自動化された設定を直接読み取ることを可能にすることが把握されるであろう。その他のデザインでは、または、表の使用と組み合されて、コントローラーは、１つ以上のアルゴリズムを使用して、例えば、アルゴリズム識別子および／またはメモリーに格納された可変値に基づいて空気吐出圧力の自動化された設定を計算してもよい。
【０１２０】
オペレーターが生産の最終的な制御を有することを可能にするために、ある実施形態が、コントローラーがオペレーター吐出空気圧オーバーライド（ｏｖｅｒｒｉｄｅ）（オペレーターが自動的に設定される吐出空気圧をオーバーライドすることを可能にする）を有することを想定する。ある実施形態では、当該設備は、生産の最中にログファイルにおいてすべての吐出空気圧設定を格納するロギングデバイスを有する（例えば、設定の再検討およびコントローラーによる自動化された設定の調整／微調整に鑑み）。
【０１２１】
ある実施形態では、当該設備は、空気圧（例えば、タンクに貯蔵された）が空気吐出の適切な作動にとって不十分となった場合に、警告指標（例えば、聴覚的および／または視覚的な警報）を有する。
【０１２２】
ある実施形態では、塊給送部材のチャンバーおよび／または型キャビティにおける食材の塊についての実際の充填圧力は、センサーによって測定される（例えば、充填の最中に、チャンバーにおいて、ドラムにおいて、またはキャビティと直接隣接する塊給送部材の面において）。
【０１２３】
本発明の第４の態様のある実施形態では、コントローラーは、オペレーター吐出空気圧オーバーライド（オペレーターが、自動的に設定される吐出空気圧をオーバーライドすることを可能にする）を有する。 
【０１２４】
本発明の第４の態様のある実施形態では、前記の自動的に設定される吐出空気圧は、標的充填圧力の０．８〜２倍の範囲内にある。したがって、５バールの標的充填圧力については、コントローラーは、４〜１０バールの空気吐出圧力を設定してもよい。
【０１２５】
ある実施形態では、当該設備は、６〜１５バールの範囲内にある標的充填圧力の入力を可能にし、かつ、かかる充填圧力を引き起こす（したがって、非常に高レベルで）ように適合している（例えば、挽肉（例えば、赤肉または牛肉）について）。その時は、加圧空気源にとって、４〜１８バール（したがって、広範囲である）である制御可能な吐出空気圧にて加圧空気を給送するように作動可能であるように具現化されることが好ましい。
【０１２６】
本発明の第４の態様のある実施形態では、前記の選択可能な標的充填圧力は、６〜１５バールの範囲内にあり、かつ、前記加圧空気源は、少なくとも４〜１８バールの範囲内にある制御可能な吐出空気圧にて加圧空気を給送するように適合しており、かつ、作動可能である。
【０１２７】
本発明の第４の態様のある実施形態では、加圧空気源は、空気圧縮機と、少なくとも１つの加圧空気貯蔵タンクとを有し、該少なくとも１つの加圧空気貯蔵タンクは、入口（空気圧レギュレーターによって前記空気圧縮機に接続される）と出口（前記食料製品解放位置におけるキャビティと関連付けられた型ドラムにおいて、前記空気貯蔵タンクから空気ダクトの中への空気のバーストの解放を引き起こすように適合した空気解放バルブを備える）とを有する。
【０１２８】
ある実施形態では、空気吐出のための加圧空気源は、空気圧縮機と加圧空気貯蔵タンクとを有し、該加圧空気貯蔵タンクは、入口（前記圧縮機に接続される）と出口（前記食料製品解放位置におけるキャビティと関連付けられた型ドラムにおいて、前記タンクからダクトの中への空気の脈動解放を引き起こすように適合した空気解放バルブを備える）とを有する。空気解放バルブは、好ましくは、クイックレスポンス開閉バルブ（例えば、直動電磁バルブ）であり、したがって圧力調整造作部を欠き、このことは、空気が所望の空気吐出圧力にて空気貯蔵タンクに貯蔵されることを意味する。別の実施形態では、空気解放バルブは、さらなる空気圧制御バルブとして具現化され、または、かかるバルブと関連付けられ、空気が所望の空気吐出圧力より高い圧力にて空気貯蔵タンクに貯蔵されてもよいようになっている。例えば、空気貯蔵タンクは、少なくとも２５バールの圧力にて空気をその中に貯蔵するように適合している。
【０１２９】
本発明の第４の態様の実施形態では、加圧空気食料製品吐出システムはさらに、言及されたコントローラーに基づくダクトの中への空気流れの期間の制御を有することが把握されるであろう（例えば、前記コントローラーは、その期間に関して吐出空気流れを支配する吐出空気制御バルブに連結される）。例えば、前記期間は、少なくともいくつかの作動においては、吐出空気放出器とドラムのダクトの入口との間の連通の時間より短いように制御される。空気吐出についての空気流れの期間の制御は、主に、この目的の加圧空気の過度の消費を回避し、成形された製品が型キャビティから既に効果的に解放されている一方で空気が分配され続けることを回避することが想定される。
【０１３０】
本発明はまた、コントローラーが、入力される標的パラメーターに基づいて前記加圧空気源による吐出空気圧および加圧空気源からダクトの中への空気流れの期間を自動的に設定するように適合している（コンピューター化されたコントローラーがプログラミングされる）実施形態を有することが把握されるであろう。このことは、例えば、コンピューター化されたコントローラーによってアクセスされるメモリーに適切な情報を格納するよって行われ得る。また、ある実施形態では、提供は、オペレーターが自動的に設定される期間をオーバーライドする（例えば、吐出空気流れのいっそう長い期間を一時的に有する）ために行われ得る。
【０１３１】
ある実施形態では、型ドラムは、型キャビティの多数のグループを備え、該型キャビティの多数のグループは、多数の型キャビティの第１のグループおよび第２のグループをそれぞれ含み、前記型ドラムはさらに、第１の空気ダクトおよび第２の空気ダクトを少なくとも備え、前記の第１の空気ダクトおよび第２の空気ダクトは、前記型ドラムの型キャビティの対応する第１のグループおよび第２のグループへとそれぞれ延び、かつ、前記の第１のグループの前記型キャビティは、前記の第２のグループの前記型キャビティとは異なり、かつ、前記加圧空気源は、型キャビティの前記の第１のグループからの食料製品の吐出のために前記の第１の空気ダクトへと第１のグループの吐出空気圧にて空気を提供し、かつ、型キャビティの前記の第２のグループからの食料製品の吐出のために前記の第２の空気ダクトへと異なる第２のグループの吐出空気圧にて空気を提供するように適合している。
【０１３２】
本発明の第４の態様の上述のアプローチは、実施形態において、型キャビティの各グループについての空気吐出を最適化することを可能にする。このことは、製品品質の向上、加圧空気の使用の減少、および／または、単一のドラム上で異なる型キャビティを組み合わせる時のいっそう大きい自由度を可能にする。
【０１３３】
ある実施形態では、前記の第１のグループの型キャビティは第１の列に配置され、かつ、前記の第２のグループの型キャビティは第２の列に配置され、前記の第１の列および第２の列は、互いに周方向に離間する。
【０１３４】
ある実施形態では、前記の第１のグループの型キャビティおよび前記の第２のグループの型キャビティは、共通の列に配置される（例えば、交互に）。 
【０１３５】
本発明の第４の態様の好ましい実用的な実施形態では、型ドラムは、第１の軸方向端部および第２の軸方向端部を有し、前記の第１の空気ダクトは、前記の第１の軸方向端部に入口を有し、加圧空気源は、前記の第１の軸方向端部に隣接して配置された第１の空気放出器を有し、型キャビティの前記の第１のグループからの食料製品の吐出のために前記の第１の空気ダクトへと第１の列の吐出空気圧にて空気を提供し、かつ、前記の第２の空気ダクトは、前記の第２の軸方向端部に入口を有する。加圧空気源は、前記の第２の軸方向端部に隣接して配置された第２の空気放出器を有し、型キャビティの前記の第２のグループからの食料製品の吐出のために前記の第２の空気ダクトへと前記の第２のグループの吐出空気圧にて空気を提供する。ドラムの反対側の軸方向端部にて２つの空気放出器を用いることによって、ドラムおよびこれら空気放出器の実用的なデザインが実行可能である。すべての空気ダクトは、ドラムの長さの最初から最後まで延びることが想定され得る（例えば、両方の軸方向端部に入口を有して）。作動中、その時は、空気のバーストにおいて給送するのに一方の空気放出器のみが用いられ、他方の空気放出器は、空気ダクトの他端を効果的に閉じる。
【０１３６】
本発明の第４の態様のある実施形態では、コントローラーはまた、生産の最中に経時的に、最初に設定された（例えば、本明細書に記載されるように自動で、または、手動で）空気吐出圧力を自動的に増大させて、食材の塊によるキャビティ表面の汚れのあらゆる影響を補償するように適合している（例えば、コンピューター化されたコントローラーがプログラミングされる）。この手法は、経時的に汚れ（該汚れは、食料製品の効果的な吐出を損ねるであろう）を引き起こす食材の塊および／または充填圧力が採用される場合でさえ、製品の適切な吐出を保護することを目的とする。所望の増大は、経験的に展開されてもよい。
【０１３７】
例えば、コントローラーは、清潔な型ドラムを用いて生産を開始してから経過した時間に基づいて、または、クリーニングが開始されてからのキャビティ毎の充填イベントの数に基づいて、空気吐出圧力を増大させる。この手法は、型キャビティを形成するのに多孔質材料を用いる時に特に有利であると考えられる。コントローラーはまた、当該設備によって取り扱われている実際の食材の塊を考慮してもよい（例えば、言及された増大を実際の食材の塊に適合させる）。
【０１３８】
本発明の第４の態様のある実施形態では、当該設備はさらに、型キャビティ空気パージアセンブリーを有し、該型キャビティ空気パージアセンブリーは、前記加圧空気食料製品吐出システムとは独立して作動可能かつ制御可能であり、かつ、前記の関連付けられた１つ以上の型キャビティの製品解放位置と充填位置との中間に位置するその型キャビティ空気パージ位置にある時に、加圧空気源から、前記の１つ以上の型キャビティと関連付けられた前記空気ダクトのうちの前記の１つ以上へと加圧空気のバーストを給送し、成形された食料製品の吐出が起こった後であり、かつ、型キャビティに製品を形成するために前記型キャビティを充填する前に、加圧空気の前記バーストによって食材の塊の残渣をゆるくすること、および／または、除去することを引き起こすように適合している。
【０１３９】
いくつかの食材の塊（例えば、脂肪の多い牛挽肉）は、型キャビティの表面上にゆっくりではあるが次第に蓄積する（例えば、脂肪質の薄い層または点として）傾向を示すことが理解される。食材の塊の残渣の堆積は、型キャビティの少なくとも一部が多孔質材料（例えば、これら設備およびそのドラムの技術分野で知られた材料である多孔質焼結金属）でできている時に特に起こる。残渣の堆積は、型キャビティの表面上にもあるであろうが、多孔質材料そのものの中にもあるであろう。空の型キャビティもしくはキャビティの列へとつながる空気ダクト（単数）またはダクト（複数）の中へと空気をバーストすることによって、残渣は機械力に曝され、該機械力は、残渣がゆるくなること、または、完全に動かされ、かつ、除去されることを引き起こす。このプロセスは、好ましくは、当該設備が食料製品の生産のために作動中である間に行われ、かつ、前記生産を妨害しない。
【０１４０】
本発明の第４の態様の実用的な実施形態では、型ドラムは、第１の軸方向端部および第２の軸方向端部を有し、かつ、空気ダクトはそれぞれ、前記の第１の軸方向端部および第２の軸方向端部の一方または両方に入口を有し、加圧空気食料製品吐出システムは、前記製品解放位置に製品吐出空気放出器を有し、かつ、吐出空気制御バルブを介して加圧空気源に接続され、前記製品解放位置において吐出される１つ以上の製品と関連付けられたダクトへと空気を提供する。前記製品吐出空気放出器とは別個に、かつ、前記製品吐出空気放出器の下流に、当該設備はパージ空気放出器を備え、該パージ空気放出器は、パージ空気制御バルブを介して加圧空気源（場合によっては、加圧空気食料製品吐出システムにおいて用いられるのと同一の加圧空気源）に接続される。このパージ空気放出器は、関連付けられた１つ以上の型キャビティが前記型キャビティ空気パージ位置にある時にダクトに空気を提供する。
【０１４１】
例えば、パージ空気バーストは、成形された食料製品の吐出の目的でダクトの中へと給送される空気とは別の圧力の空気を用いて実行される。例えば、パージ空気バーストは、吐出用よりも高圧の空気を用いて実行される（例えば、いっそう高圧でいっそう短い期間にわたって）。
【０１４２】
好ましくは、前記型キャビティ空気パージ位置には残渣収集器が配置され、動かされた食材の塊の残渣を収集する。例えば、残渣収集器は真空システムを含み、該真空システムは、あらゆる残渣を吸い取り、かつ、収集器容器の中へと残渣を搬送する。
【０１４３】
好ましくは、前記型キャビティ空気パージアセンブリーは、選択可能な頻度（例えば、ドラムの多数の旋回毎にダクトに接続されるキャビティまたはキャビティの列毎に１つのバースト）にて空気の前記パージバーストを引き起こすように適合している（例えば、前記頻度は、当該設備のオペレーターによって、かつ／または、プログラミングされたコントローラー上の自動化された決まりきった工程に基づいて設定可能である）。このことは、この目的での加圧空気の過度の消費を回避する一方で効果的なパージを可能にする。
【０１４４】
例えば、型キャビティ空気パージアセンブリーは、コンピューター化されたコントローラーによって制御され、該コンピューター化されたコントローラーは、当該設備によって取り扱われる食材の塊、クリーニングされた型ドラムの最初の使用から経過した時間もしくは充填イベントの数、標的充填圧力のうちの少なくとも１つまたはそれらの任意の組み合わせに基づいてパージ用の空気のバーストを制御するようにプログラミングされる。制御は、バーストの圧力および／または期間を設定することを伴ってもよい。
【０１４５】
本発明はまた、ポンピング可能な食材の塊から食料製品を成形するための方法に関し、当該設備が用いられ、かつ、空気パージが記載されたように実行される。例えば、当該方法は、パージバーストの頻度を設定することを伴う（例えば、オペレーターを介して、かつ／または、適切にプログラミングされたコントローラーによって実行される自動化されたルーチンによって）。
【０１４６】
ある実施形態では、加圧空気源は、吐出空気の圧力を調整し、単一の空気吐出イベントの最中に可変の圧力レベルにて各空気ダクトに空気を提供するように適合している（例えば、最初はいっそう低い空気圧にて、次にいっそう高い空気圧にて）。 
【０１４７】
例えば、加圧空気源は、第１の空気貯蔵タンク（比較的高圧にて空気を貯蔵する）と、第２の貯蔵タンク（比較的低圧にて空気を貯蔵する）と、吐出空気放出器（バルブアセンブリーを介して前記の第１の貯蔵タンクおよび前記の第２の貯蔵タンクの両方に接続される）とを有し、かつ、前記バルブアセンブリーは、−単一の吐出イベントの最中に−吐出イベントの期間の一方の部分の最中に前記の第１の空気貯蔵タンクから空気を解放し、かつ、吐出イベントの期間の他方の部分の最中に前記の第２の貯蔵タンクから空気を解放するように適合および作動する。ある実施形態では、まず第２の貯蔵タンクが開き、空気が比較的低い（第１の貯蔵タンクにおけるいっそう高い圧力と比較して）第２の圧力にてダクトの中へと給送され、キャビティからの成形された製品の初期の解放を引き起こし、次に、解放された製品がキャビティから効果的に放出されることを引き起こすのに第１の貯蔵タンクからのいっそう高圧の空気のバーストが用いられる。実施形態ではまた、第１の空気圧の初期の適用およびそれに続く第２の空気圧の適用が想定され得る。例えば、ドラムの空気ダクトがドラムの両方の軸方向端部に入口または開口部を有する実施形態では、反対側の軸方向端部に２つの空気放出器を提供することが想定され得、一方の空気放出器は、バルブを介して第１の貯蔵タンクに接続され、かつ、第２の吐出空気放出器は、バルブを介して第２の貯蔵タンクに接続される。
【０１４８】
単一の空気吐出イベントの最中の吐出空気の可変の圧力レベル（例えば、２つの別個の圧力レベル）の使用は、成形された食料製品の解放および吐出を最適化するのに役立ち、かつ、この目的での加圧空気の使用を最適化するのに役立つであろう。所望されれば、単一の空気吐出イベントの期間にわたる空気圧の変化を取得するためにいっそう複雑な配置構成が可能であることが把握されるであろう（例えば、急速に反応する空気圧制御バルブを用いて）。
【０１４９】
本発明の第４の態様はまた、ポンピング可能な食材材料の塊から（例えば、挽肉から）３次元製品を成形するための方法に関し、当該方法には、本発明の第４の態様による設備が用いられる。
【０１５０】
本発明の第４の態様の方法のある実施形態では、塊給送部材は、少なくとも１つの排出制御バルブを備え、該少なくとも１つの排出制御バルブは、排出口を閉じるように適合しており、例えば、バルブが開くことは、型キャビティの中への塊の流れのタイミングを制御するように採用され、例えば、バルブは、オリフィス付きの口本体と組み合わされる。
【０１５１】
本発明の第４の態様の方法のある実施形態では、食材の塊は牛挽肉であり、オリフィス付きの口本体によって形成された排出口が用いられ、塊給送部材のオリフィス付きの挽き器本体におけるオリフィスは、２〜１２ミリメートル（例えば、４〜７ミリメートル、例えば、約６ミリメートル）の直径を有する。
【０１５２】
本発明の第４の態様の方法の実施形態では、コントローラーは、入力される標的充填圧力に基づいて前記加圧空気源による吐出空気圧を自動的に設定する（例えば、コンピューター化されたコントローラーが自動的に設定するようにプログラミングされる）。
【０１５３】
ある実施形態では、型ドラムが用いられ、該型ドラムは型キャビティの多数のグループを備え、該型キャビティの多数のグループは、多数のキャビティの第１のグループおよび多数のキャビティの第２のグループをそれぞれ含み、前記型ドラムはさらに、第１の空気ダクトおよび第２の空気ダクトを少なくとも備え、前記の第１の空気ダクトおよび第２の空気ダクトは、前記型ドラムの型キャビティの対応する第１のグループおよび第２のグループへとそれぞれ延び、
かつ、前記の第１のグループの前記型キャビティは、前記の第２のグループの前記型キャビティとは異なり、
かつ、前記加圧空気源は、型キャビティの前記の第１のグループからの食料製品の吐出のために前記の第１の空気ダクトへと第１のグループの吐出空気圧にて空気を提供し、かつ、型キャビティの前記の第２のグループからの食料製品の吐出のために前記の第２の空気ダクトへと異なる第２のグループの吐出空気圧にて空気を提供する。
【０１５４】
当該設備（例えば、本発明の第２の態様、第３の態様または第４の態様の設備の型部材、塊給送部材、プランジャー、排出口など）は、本発明のその他の態様のいずれかを参照して説明された１つ以上の特徴を含んでいてもよいことが把握されるであろう。
【０１５５】
本発明はまた、ポンピング可能な食材の塊から食料製品を成形するための方法に関し、当該方法には、当該設備が用いられ、かつ、空気吐出および／または空気パージが記載されたように実行される。
【０１５６】
本発明はまた、ポンピング可能な食材材料の塊から（例えば、挽肉から）３次元製品を成形するための方法に関し、当該方法には、本明細書に記載の設備が用いられる。 
【０１５７】
本発明はまた、コンピューター制御を有する設備に関し、該コンピューター制御は、ドラムの回転、給送ポンプの作動、加圧アセンブリーおよび空気吐出システムの作動のためのものであり、前記制御は、例えば、革新的な方法を実行するようにプログラミングされる（例えば、選択された食材の塊および形成される製品について、当該設備に革新的な方法を実行させる所定のルーチンを含有するメモリーを用いて）。
【図面の簡単な説明】
【０１５８】
本発明の態様および任意選択的な詳細は、図面を参照して以下で説明されるであろう。図中：
【０１５９】
【図１】図１は、ポンピング可能な食材の塊から食料製品を成形するための本発明による成形設備を概略的に示している。
【図２】図２は、図１の設備の成形デバイスの正面図を概略的に示している。
【図３】図３は、図１の成形設備の塊給送部材の縦断面および型ドラムの型キャビティの列を概略的に示している。
【図４】図４は、図３の詳細をいっそう大きい縮尺で示している。
【図５】図５は、図３の塊給送部材の金属のオリフィス付きの口本体部を斜視図で示している。
【図６】図６は、図３の塊給送部材の端部を縦断面で示している。
【図７】図７は、図３の塊給送部材を横断面で示し、かつ、型ドラムの一部を示している。
【図８】図８は、図１の設備の塊給送部材、漏斗および加圧アセンブリーの平面図を概略的に示している。
【図９】図９は、ポンピング可能な食材の塊から食料製品を成形するための本発明による成形設備の別の実施形態を概略的に示している。
【図１０】図１０は、本発明の第２の態様による食料製品を成形するための設備の実施形態を概略的に示している。
【図１１】図１１ａおよび図１１ｂは、本発明による型ドラムおよび加圧空気吐出システムの実施形態を示している。
【図１２】図１２は、本発明による食料製品の成形、成形された食料製品の加圧空気吐出および型キャビティの空気パージを示している。
【図１３】図１３は、本発明による食料製品の成形および成形された食料製品の加圧空気吐出を示している。
【図１４】図１４ａおよび図１４ｂは、本発明による型ドラムおよび加圧空気吐出システムの別の実施形態を示している。
【発明を実施するための形態】
【０１６０】
図１は、ポンピング可能な食材材料の塊から（例えば、挽肉の塊（例えば、ハンバーガーのパテの生産用の挽かれた赤肉）から）３次元製品を成形するための高性能設備を概略的に描いている。
【０１６１】
挽きプロセス（図示せず）において肉挽きデバイスを用いて、挽肉の塊（例えば、牛肉、豚肉または鶏肉の）のバッチが通常調製される。その後、図１に示されているように、例えば、（車輪のついた）容器の中に挽肉のバッチがローディングされ、かつ、−場合によっては、冷蔵されたいくぶんかの貯蔵時間の後で−当該設備へと輸送される。
【０１６２】
この例では、設備１は、ポンピング可能な食材材料（例えば、挽肉）の塊の１つ以上のバッチを受け入れるように適合したホッパー２を有していてもよいことが示されている。
【０１６３】
この例では、任意選択的なホッパー排出アセンブリーが、ホッパー１と関連付けられて、ホッパー２から塊を排出するのを補助する。この例では、ホッパー２の底部に、モーターＭ３を有する１つ以上のモーター駆動オーガー（ａｕｇｅｒ）３が取り付けられる。
【０１６４】
食材の塊の容器ローディングを用いて当該設備のホッパー２をローディングする代わりに、当該設備のローディングは、当該設備（例えば、そのホッパー）に接続するパイプを介して実行されてもよい。
【０１６５】
当該設備はさらに、給送ポンプ５（例えば、容積型であり、ここでは回転ベーンポンプである）を有する。その他の実施形態では、給送ポンプは、例えば、回転ローブポンプ、ピストンポンプなどであってもよい。ポンプ５は、ここではオーガー３を介してホッパー２から塊を受け入れる入口７を有するポンプハウジング６を有する。給送ポンプハウジング６はさらに、塊を出力するための出口８を有する。
【０１６６】
図示されているポンプ５はベーンポンプであり、該ベーンポンプは、ポンプハウジングのポンプキャビティに配置された多数のベーン９を有するローターを有する。かかるローターポンプ（例えば、Ｒｉｓｃｏ社（イタリア国）によって提供される）は、挽肉およびその他のポンプ可能な食材の塊をポンピングすることが知られている。
【０１６７】
ポンプを駆動させるために、ポンプ駆動モーター（例えば、電動の、ＭＰで示されている）が提供される。
【０１６８】
ポンプ５は、図においては隣接するベーン９の間に示されているポンプチャンバーを形成し、該ポンプチャンバーはそれぞれ、連続的に、ポンプチャンバーの中への塊の導入のためにポンプ入口６と連通し、かつ、ポンプチャンバーからの塊の排出のためにポンプ出口７と連通する。ポンプチャンバーの有効容積は、ポンプ入口におけるその位置からポンプ出口におけるその位置へと減少し、ポンプが作動している時に塊がポンプチャンバーから効果的に追い出されるようになっている。米国特許第４，７６１，１２１号明細書には、かかるポンプの例が開示されている。
【０１６９】
ポンプ５はまた、ベーンポンプの代わりに、異なるタイプのポンプとして（例えば、１つ以上の往復動式ピストンを有するピストンポンプとして）具現化されてもよい。
【０１７０】
設備１はさらに、成形デバイス２０を有し、該成形デバイス２０は：
−  フレーム２１を有し、
−  型部材２２（ここでは、型ドラム２２として具現化される）を有し、
−  型部材ドライブＭＤを有し、
−  塊給送部材３０を有し、
−  加圧アセンブリー５０を有し
−  成形された製品コンベヤ８０を有する。
【０１７１】
ドラム２２は、ドラム２２がフレーム２１によって回転可能に支持されるので、回転または旋回するように具現化され、例えば、ドラム２２は、デバイス２０のフレーム２１によって運ばれる軸受１０において一端または両端にて支持されたシャフト上に取り付けられる。
【０１７２】
型ドラム２２は、外周ドラム表面２３と長手方向ドラム回転軸２４とを有する。ドラム２２は、ドラム回転軸（ここでは−好ましいように−水平軸）の周りを旋回するようにフレーム２１によって回転可能に支持される。 
【０１７３】
型ドラム２２は、ドラム表面２３に多数の型キャビティ２５を有し、各キャビティ２５は、表面２３の平面に充填開口部を有し、該充填開口部は、型キャビティの中への食材の塊の導入用のものであり、かつ、キャビティ２５からの製品の後の除去または解放用のものである。 
【０１７４】
描かれている例では、キャビティ２５は、ドラム本体の外表面２３における個別の凹部として具現化され、キャビティ２５の充填開口部の反対側に底部を有する。
【０１７５】
好ましくは、デバイス２０とドラム２２とは、１つのドラムと別のドラム（型キャビティの異なるパターンおよび形状を有する）との容易な交換を可能し、当該設備を用いて異なる食料製品の生産を可能にするようにデザインされる。
【０１７６】
型部材ドライブＭＤは、型部材を経路（ここでは、軸２４の周りの円形経路）に沿って移動させるように適合している。経路は、充填位置（前記充填位置に固定的に配置された塊給送部材３０において型キャビティの中へと塊を充填するためのものである）と、製品解放位置（型キャビティから成形された製品を解放するためのものであり、ここでは、円形経路の下の部分または下の部分付近にある）とを有する。この例では、形成された製品Ｐは、ドラム２２の下を延びるコンベヤ８０の上へと送達される。
【０１７７】
図１および図２はまた、加圧空気食料製品吐出システムを示している。型ドラムは、空気ダクト２２ａ（例えば、ドラムの一方の軸方向端面からキャビティ２５へと延びる）を有する。この例では、各ダクト２２ａは、キャビティ２５の対応する列へと延び、該列は、ドラム軸２４に対して概して平行である。
【０１７８】
図示されているように、かつ、本分野で知られているように、ドラム２２は、型キャビティ２５の範囲を定める表面の少なくとも一部が空気透過性であるように具現化される。例えば、各キャビティ２５は、ドラムの本体に取り付けられた多孔質材料挿入部によって形成され、空気が各ダクト２２ａから多孔質材料（例えば、焼結ステンレス鋼）を通って流れ得るようになっている。この空気は、ドラム２２に対して解放位置にてダクト２２ａの中への加圧空気のバーストとして多かれ少なかれ導入され、吐出／解放された食料製品Ｐが各キャビティ２５から製品コンベヤ８０（ドラム２２の下を延びる）の上に落ちるようになっている。
【０１７９】
吐出システムは、加圧空気源１５０（例えば、加圧空気貯蔵タンク１５２を有する圧縮機１５１と、圧力調整バルブ１５３と、タンク１５２の出口にある空気制御バルブ１５４）を有する。この源１５０は、旋回ドラム２２付近に配置された空気放出器１５５へとその調整された吐出空気圧にて加圧空気を給送するように作動可能である。作動中、ドラムのダクト２２ａの入口は、空気放出器１５５をシーケンシャルに通過し、かつ、それと位置が合い；バルブ１５４は、その時、一時的に開き、ダクト２２ａの中へと空気のバーストを放出する。この空気は、その後、透過性表面から外に出るように流れ、かつ、本分野で知られているように、図１において描かれているように製品解放位置において前記の１つ以上の型キャビティからの成形された食料製品の吐出を促進し、かつ／または、引き起こす。
【０１８０】
全般的に、型キャビティ２５からの製品の吐出は、キャビティ２５が多孔質材料壁部（それを通して加圧ガス（例えば、空気）がキャビティから製品を解放するように追い出される）によって境界が作られることによって促進／実行されてもよい。キャビティはまた、本技術分野で知られているように、ピストンタイプの底部を有するように具現化され得る。ここでは、知られているように、ドラムは空気チャンネル２２ａ（例えば、型キャビティ２５の各列について１つ）を備え、該空気チャンネル２２ａの中には、解放位置にて空気が吹き込まれる。空気のこのバーストは、各チャンネル２２ａを通過し、その後、型キャビティの関連付けられた列の多孔質材料壁部を通過する。
【０１８１】
さらに別の実施形態では、ドラムは中空管状部材として具現化され、キャビティはそれぞれ、管状部材の壁部を通って延びる開口部として形成される。管状ドラム部材の内側には、この成形デバイスは底部材を有し、該底部材は、フレームに固定して取り付けられ、かつ、塊給送部材とは反対側にある。この底部材は、キャビティの充填開口部とは反対側のキャビティの底部を形成する。かかるデザインでは、形成された製品の吐出は、例えば、キャビティから外に出るように形成された製品をノックする機械的ノックアウト部材によって行われてもよい。
【０１８２】
型部材ドライブＭＤは、好ましくは、電気ドライブ（例えば、サーボ制御された電気モーターを含む）であり、可変かつ制御可能なドラム回転速度を可能にする。設備１の使用中、ドラム２２は、連続した、中断されない方式で駆動され、したがって、ドラム２２の旋回の最中に始動および停止を伴わず、高生産性能を達成することが想定される。ドラム２２は、通常の生産の最中は一定の速度で駆動されることが可能である（例えば、生産を開始する時には加速を用いて）。以下、ドラム２２の速度は、ドラムの旋回の最中に周期的に変化するが、好ましくは停止および始動を伴わないと仮定する。
【０１８３】
全般的な意味で、塊給送部材３０は、対応する型キャビティ充填イベント（型キャビティ２５の中への食材の塊の第１の流れのモーメントと型キャビティが完全に充填され、かつ、その中の食材の塊の流れが終了したモーメントとによって定められる）において型部材の型キャビティの中へと食材の塊を移送するように適合している。
【０１８４】
塊給送部材３０は、長手方向軸を有する細長いチャンバー３２を定めるハウジング３１を有する。ハウジング３１は、一対の離間した長い側壁３３（長さを有し、かつ、この長手方向軸に対して概して平行である）を有する。短い端面壁３４が、長い側壁３３にそのそれぞれの長手方向端部にて相互接続する。さらに、ハウジング３１は、充填位置にて型ドラム２２に面する底壁を有する。
【０１８５】
図示されている例では、底壁３６は、少なくともチャンバーの長さにわたるスロットを備え、かつ、このスロットには、ドラムの別個の垂直軸位置にて多数の型キャビティの列の経路にまたがるオリフィス付きの排出口を形成する排出口本体が配置され、食材の塊が前記のオリフィス付きの排出口を通って型キャビティの中へと流れるようになっている。別のデザインでは、排出口は、単一の細長いスロット付きの開口部として構成される（例えば、直進する）。
【０１８６】
塊給送部材３０は、単一の細長いプランジャー４０を備え、該単一の細長いプランジャー４０は、チャンバーにスライド可能に受け入れられ、底壁３４に対するプランジャー４０の移動の範囲で、底壁３４とは概して反対側に側壁３２と端面壁３３との間をスライドする。塊給送部材は一般的にはドラムの上面に配置されるので（場合によっては、いくぶん傾いて）、プランジャーはチャンバーにおいて上下に移動すると言えるであろう。
【０１８７】
当該設備は、プランジャー加圧アセンブリー５０を有し、該プランジャー加圧アセンブリー５０は、プランジャー４０が制御可能な圧力にて底壁３４に向かって付勢されることを引き起こすように適合している。
【０１８８】
ここでは、加圧アセンブリー５０は、１つ以上の空気圧式アクチュエーター５１を有する。この実施形態では、１つ以上の空気圧式アクチュエーター５１は、レバーアーム構造体５２の上に係合し、該レバーアーム構造体５２は、ヒンジポイント５３においてフレームに蝶番で連結される。このレバーアーム構造体は、プランジャー４０に接続され、１つ以上の空気圧式アクチュエーター５１によってかけられる力の増幅を取得する。
【０１８９】
空気圧源５５がコントローラー９０に接続されるが、これは、圧力源５５に接続された１つ以上の空気圧式アクチュエーター５１を作動させることに鑑みたものである。
【０１９０】
図１〜図８では、１つの側壁３３のみが導入口３５を備え、該導入口３５は、前記側壁の大部分（好ましくは、ほぼチャンバー３２の長さ）にまたがる１つ以上の導入開口部（ここでは１つの細長いスロット付きの開口部）を形成する。この側壁３２および反対側の側壁３３ならびに端面壁３４はすべて、導入口３５の上を延びる部分を有する。
【０１９１】
プランジャー４０の移動の範囲は導入口３５の上であり、この範囲では、プランジャー４０が導入口３５を塞がず、かつ、給送ポンプ５による前記導入開口部を通した塊の流入に過度に影響を与えるようになっている。
【０１９２】
当該設備はさらに、プランジャー位置センサー４４を有し、該プランジャー位置センサー４４は、前記プランジャーの１つ以上の位置（プランジャー４０の上の位置および下の位置を含む）に対応するプランジャー位置信号を提供するように適合している。
【０１９３】
当該設備はコントローラー９０を有し、該コントローラー９０は、プランジャー加圧アセンブリー５０、プランジャー位置センサー４４および給送ポンプ５に連結される。 
【０１９４】
コントローラー９０は、塊給送部材のチャンバー３１および／または型キャビティ２５における食材の塊についての標的充填圧力を入力するように適合している。例えば、入力は、グラフィックユーザーインターフェースを有するタッチスクリーンを介して行われる。
【０１９５】
プランジャー加圧アセンブリー５０は、入力された標的充填圧力に基づいて、この単一の細長いプランジャー４０によって、チャンバー３１における食材の塊を絶えず加圧するように適合している。 
【０１９６】
コントローラー９０は、プランジャー位置信号に基づいて給送ポンプ５を作動させるように適合しており、または、構成され（例えば、コンピューター化されたコントローラーがプログラミングされ）、プランジャー４０が、当該設備の作動の最中に前記の移動の範囲の留まるようになっており、例えば、前記給送ポンプ５は、プランジャーが前記の移動の範囲の下限付近または下限にある下の位置に到達した時に始動し、かつ、給送ポンプ５は、前記プランジャーが前記範囲の上限付近または上限ある上の位置に到達した時に停止する。
【０１９７】
例えば、コンピューター化されたコントローラー９０は、例えば、コンピューター上でローディングされ、かつ、動かされる専用のソフトウェアに基づいて、入力された標的充填圧力に基づいて加圧空気源１５０による吐出空気圧を自動的に設定するようにプログラミングされる。
【０１９８】
例えば、コントローラー９０はメモリーを有し、該メモリーの中には、選択可能な食材の塊のリスト（例えば、脂肪の少ない合成の挽かれた赤肉のような異なる挽肉製品を表す）が格納される。本明細書では、選択を入力するように適合している。本明細書では、コントローラーは、選択可能な食材の塊のこのリストからの食材の塊の選択を入力するように適合している。コントローラーはメモリーを有し、該メモリーの中には、所定の組み合わせ（一方は少なくともそれぞれの選択可能な食材の塊および入力される標的充填圧力であり、かつ、他方は前記の自動的に設定される吐出空気圧である）が格納される。食材の塊を選択すること（例えばまた、タッチスクリーンによって）および標的パラメーターを入力することによって、コントローラーは、関連付けられた空気吐出圧力をメモリーの中で自動的に見出し（例えば、表の形態で）、かつ、空気源１５０がこの空気吐出圧力を作り出すように導くであろう。このことは、１つの食材の塊から別のものへと切り替える時に、オペレーターが、塊と標的充填圧力とを選択しなければならないだけであり、かつ、コントローラー９０がその後、正確な吐出空気圧を信頼性高く設定するであろうことを意味する。
【０１９９】
これら設備のオペレーターは、通常、異なる型ドラム２２を用いて異なった形状の食料製品を調製するので、彼らは、通常、生産位置において多数の異なるドラム２２を利用可能にする。製品の１つの形状から別のものへと切り替える時、１つのドラムが成形デバイスから除去され、かつ、別のものが取り付けられる。この状況については、コントローラー９０がメモリーを有し、該メモリーの中には、選択可能な型ドラム２２のリスト（例えば、異なる型キャビティ１０を有する型ドラムを表す）が格納される時に有利である。コントローラーは、その時、選択可能な型ドラムの前記リストからの型ドラムの選択を入力するように適合している（例えば、型ドラムの自動化された識別（例えば、自動化されたコードリーダーを用いて、例えば、トランスポンダーを用いて）に基づくが、ドラムの手動の選択もまた可能である）。その時、コントローラーはメモリーを有し、該メモリーの中には、所定の組み合わせ（一方は少なくともそれぞれの選択可能な型ドラムおよび入力される標的充填圧力であり、かつ、他方は前記の自動的に設定可能である吐出空気圧である）が格納されることが想定される。したがって、その時、コンピューター化されたコントローラーは、選択された型ドラムについて効果的な吐出空気圧を自動的に設定するであろう。
【０２００】
いっそう複雑なバージョンが可能であり、コントローラーは、そのメモリーに、それぞれの選択可能なドラムについて、所定の組み合わせ（一方は少なくともそれぞれの選択可能な食材の塊および入力される標的充填圧力であり、かつ、他方は前記の自動的に設定される吐出空気圧である）を格納することが把握されるであろう。さらに複雑なバージョンは、当業者にとって明らかであろう。
【０２０１】
コントローラー９０（好ましくは、コンピューター化されたコントローラー）による空気吐出圧力の自動化された選択および設定はまた、型ドラムの累進的な汚れの要因を伴うであろう。経時的に、生産の最中、食材の塊の小片が、たとえ空気吐出が表面から食材をゆるめることを引き起こしたとしても、型ドラムの表面にくっつくであろうことが想定され得る。この汚れは、場合によっては、例えば局所的に、表面の空気透過性を減少させるであろう（例えば、キャビティ表面の一部を形成する多孔質材料の場合）。
【０２０２】
ある実施形態では、コントローラーは、吐出圧力を自動的に変化させ（例えば、型ドラムのクリーニングされた状況から始まる実際の作動時間に基づいて）、空気吐出プロセスに対する型ドラムの汚れのあらゆる影響を補償するように適合している。例えば、最初に設定された（例えば、上記のように）空気吐出圧力は、例えばドラムのクリーニングが実行されるまで（このことは、例えば高圧スプレーからの温水を用いて、ドラムが型デバイス上にある間に行われてもよい）、経時的に、漸進的または段階的に自動的に増大する。ある実施形態では、当該設備は、生産プロセスの最中、経時的に空気吐出の自動的な変化をグラフで表示するように適合している（例えば、オペレーターに、この自動的な変化および現在のステータスを知らせるように適合している）。
【０２０３】
図１〜図７、図９および図１０に示されているように、オリフィス付きの口本体は、−好ましくは−部品３６ａ，３６ｂを有する複合体であり、かつ、金属またはセラミックのオリフィス付きの口本体部品３６ａ（口本体のバルブ側面を形成する）とプラスチックの口本体部品３６ｂ（オリフィス付きの本体部品３６ａに隣接する）とを有し、前記オリフィス３７ｂがその中にオリフィス３７ａの延長部を形成するようになっている。効果的には、プラスチックの本体部分３６ｂは、移動可能な型部材２２に面する口本体の出口面を形成する。このことは、例えば、型部材（ここでは、ドラム２２）が、本体の出口面に係合する金属表面または金属表面部を有する時に有利である。
【０２０４】
排出口は、ここでは、したがって、多数の出口オリフィス３７ｂによって形成され、各キャビティ２５が多数の出口オリフィス３７ｂ（例えば、種々の角度における円筒形内腔）を通して充填され、型キャビティ２５の中への塊の所望の流入を取得するようになっている。出口オリフィス３７ｂのその他の断面形状もまた、可能である。
【０２０５】
ドラム２２の回転は、ある時点で、型キャビティ２５の列が口本体の出口面およびその排出口と位置が合うことを引き起こすことが把握されるであろう。効果的な流出開口部に沿って、挽かれた塊は、型キャビティの中へと流れ得る。
【０２０６】
ドラム成形デバイスの実用的な実施形態では、塊給送部材にて起こるキャビティ２５の列の充填イベントは、非常にハイペースで互いに連続し得ることが注目される（例えば、０．５秒毎または０．２５秒毎に１つの新たな充填イベント）。このことは、実際には、充填イベント間の中間期が、例えば０．１〜０．３秒の期間を有し得ることを意味する。
【０２０７】
例に見られ得るように、ドラム２２は、多数の型キャビティ２５の、キャビティ２５が型部材の経路に対して直角をなして見た時に別個の垂直軸位置において（したがって、ここでは、ドラム２２の長さに関して異なる位置にて）列になっているパターンを備える。いっそう詳細には、ドラム２２は、本技術分野における共通の実施形態のように、ドラム２２の周方向に見た時に多数のキャビティ２５のアレイを備え、ドラムの軸方向に見た時に隣接するアレイの間には軸方向の間隔が存在する。
【０２０８】
ドラム２２上の隣接するアレイにおけるキャビティは、軸２４に対して平行な列にて整列する。しかしながら、平行でない配置構成にて（例えば、ドラム上の長手方向に見た時にねじれた列にて、または、渦巻形の線にて）キャビティ２５を有することもまた可能である。
【０２０９】
上記で示されたように、本技術分野で知られているように、型部材（例えば、ドラム２２）は、型キャビティの異なるパターンおよび／または形状を有する別の型部材と交換可能であることが想定される。
【０２１０】
好ましくは、塊給送部材３０は、ドラム表面２３の上に密封して係合し（例えば、排出口の周りに）、ドラムと塊給送部材３０との間の塊の漏れを回避してもよい。例えば、１つ以上のドラム係合シール部材３９が提供される。
【０２１１】
描かれているように、ドラム２２には、キャビティ２５のための上流閉塞部材が存在しない。なぜなら、充填イベントは、全キャビティ２５がオリフィス付きの出口と効果的に位置が合った時にのみ起こることが想定されるからである。代替的な実施形態（例えば、排出口およびドラムの連続する速度ドライブとして単数のスロットを有する）では、型キャビティのための上流閉塞部材の提供が想定されるであろう（例えば、伸縮可能な方式で、調整可能な力でドラムに対して押し付けられる可撓性板（例えば、空気圧を用いて））。 
【０２１２】
ここに描かれているように、ドラムには、キャビティのための下流閉塞部材が存在しない。なぜなら、充填イベントは、全キャビティがオリフィス付きの出口と効果的に位置が合った時にのみ起こることが想定されるからであり、かつ、キャビティ２５における塊の弛緩は、キャビティが充填位置から離れるように動かされるとすぐに可能とされるからである。
【０２１３】
描かれているのは、屈曲性弾性フラップ３８であり、該屈曲性弾性フラップ３８は、一端でハウジング３１に固定され、かつ、キャビティ２５に充填された弛緩している塊の影響下で屈曲する。このことは、塊の制御された弛緩を補助する。 
【０２１４】
塊給送部材の口から下流方向に延びる下流閉塞部材の提供は、充填されたキャビティが充填位置から離れるように移動するにつれて、しばらくの間、充填されたキャビティを閉じた状態で維持するのに役立つ。このことは、所望される時に、塊がいっそう密着した食料製品になることを可能にする。 
【０２１５】
型キャビティにおける塊は、食料製品（例えば、肉のパテ）を形成する。
【０２１６】
型ドラム２２、塊給送部材３０および任意の閉塞部材の任意選択的な詳細は、例えば、国際公開第００／３０５４８号パンフレットおよび国際公開第２００４／００２２２９号パンフレットに開示されている。
【０２１７】
例えば、１つ以上の閉塞部材はそれぞれ、１つ以上のアクチュエーター（例えば、空気圧式アクチュエーター）によって表面２３と密封して接触するように促される半円形板部材（好ましくは、可撓性デザインの）を有していてもよく、例えば、板部材と１つ以上のアクチュエーターとの間には横方向ラメラが存在する。このことは、本技術分野で知られている。
【０２１８】
給送ポンプ５は、塊給送部材３０に向けてチューブまたはホース６３を通して食材の塊を前進させる。
【０２１９】
例えば制御可能な電気ポンプ駆動モーターＭＰを用いた給送ポンプ５の適切な制御（例えば、ポンプローター速度の）によって、ポンプによる塊の出力は制御され得る。
【０２２０】
充填位置の下流の解放位置において、形成された製品Ｐ（ここでは、肉製品Ｐ）は型キャビティ２５から解放され、例えばその他の下流機器（例えば、オーブン、フライヤーなど）へと、例えばコンベヤ８０の上で前方に輸送される。
【０２２１】
当該設備は、例えば本技術分野で知られているようにポンプ５と一体化した、制御可能な真空アセンブリーを有していてもよい。この真空アセンブリーは、ホッパー２からの塊の軌道における１つ以上の位置にて塊からの空気の制御された排出を引き起こすように適合しており、かつ、それが容積型ポンプのポンプ入口と連通する位置においてポンプチャンバーを含んでいてもよい。好ましくは、この真空アセンブリーは、真空ポンプ（電気的に作動する真空ポンプ）を有する。
【０２２２】
所望されれば、本技術分野で知られているように、ホッパー２において真空が作り出されてもよい。ホッパー１とポンプ入口６との間の任意の通路（例えば、ダクトであって、その中へと給送アセンブリーの１つ以上のオーガー３が延びる前記ダクト）において、真空が作り出されてもよい。
【０２２３】
図９を参照して、ここで、とりわけ、本発明の第３の態様が説明されるであろう。
【０２２４】
図９には、塊給送部材のハウジング１３０は、その各側壁１３３に導入口１３５を有することが示されている。各導入口１３５について、専用のバルブ１６１，１６２が存在する。
【０２２５】
好ましくは、導入口を通る流れを支配するように構成されたバルブ１６１，１６２はそれぞれ、仮に存在すれば、図９に概略的に示されているように回転チューブバルブである。かかるバルブは、細長く実質的に円筒形であるバルブ本体を有し、該細長く実質的に円筒形であるバルブ本体は、内腔（ここでは、塊給送部材のハウジング）に受け入れられ、かつ、回転する円筒形本体を通る細長い軸方向スロットを有し、該細長い軸方向スロットは、開いた角度位置では入口および出口と位置が合い、塊が各ポンプからチャンバー３２の中へとその補充のために通ってもよいようになっており（図９の右側）、かつ、閉じた角度位置（図９の左側）では、回転チューブバルブのスロットは、入口および出口から切り離され、バルブが効果的に閉じるようになっている。
【０２２６】
バルブ１６１，１６２のそれぞれについて、コントローラー９０に連結された、対応するバルブアクチュエーター１６１ａ，１６２ａが提供される。そのことによって、コントローラー９０からの信号の際に、バルブ１６１，１６２はそれぞれ、各導入口を開閉するように作動可能である。
【０２２７】
図９はまた、ハウジングの第１の側壁１３３の上には第１のピストンポンプ１０５が取り付けられ、かつ、ハウジングの第２の側壁の上には第２のピストンポンプ１０６が取り付けられることを示している。
【０２２８】
好ましくは、第１および第２のピストンポンプ１０５，１０６はそれぞれ、アクチュエーター（例えば、空気圧式シリンダー）１０５ａ，１０６ａによってポンプチャンバーにおいて往復動可能である単一のポンプピストン１０７，１０８を有する。ピストンアクチュエーター１０５ａ，１０６ａを含む、ポンプ１０５，１０６の作動は、コントローラー９０によって制御される。
【０２２９】
好ましくは、ポンプピストン１０７，１０８はそれぞれ、チャンバー３２の主たる軸に沿う導入口１３５の長さに実質的に対応する、長手方向（したがって、ここでは、図の平面に対して直角）の長さを有し、塊がその時は上方に移動するプランジャー４０の下を導入口１３５の中へと、かつ、導入口１３５を通ってチャンバー３２の中へと前部全体にわたって押され、そのことによって、塊内（例えば、挽肉の塊内）の過度のせん断などを回避するようになっている。
【０２３０】
図９では、第１および第２のピストンポンプ１０５，１０６は、塊給送部材ハウジング１３０に対してＶ字形に配置されることがさらに示されている。別の実施形態では、ピストンポンプ１０５，１０６は、例えばプランジャー４０の動きの経路に対して直角をなす共通の平面に配置される。
【０２３１】
第１のおよび第２のピストンポンプ１０５，１０６はそれぞれ、それぞれの入口ダクト１１０，１１１に接続され、かつ、好ましくは、これら入口ダクトは、逆Ｖ字形に配置され、かつ、それらの上端にて共通のホッパー１１２に隣接する。このホッパーは、その中に食材の塊の供給を受け入れるように適合している。ポンプ１０５，１０６の各ポンプチャンバー入口には、描かれていないスライドするバルブ部材が存在してもよい。
【０２３２】
塊にとって、純粋に重力に基づいて（したがって、ピストンポンプ１０５，１０６の中に入る前に過度の加圧を引き起こすであろう、塊に対してかけられる外力を伴わずに）、ピストンポンプ１０５，１０６の開いた、かつ、空のチャンバーの中へと流れることが好ましい。
【０２３３】
好ましくは、ピストンポンプ１０５，１０６の入口ダクト１１０，１１１はそれぞれ、前記導入口の前記長さに実質的に対応する前記長手方向の長さを有する。
【０２３４】
本発明の第１の態様による図９の設備の作動中、コントローラー９０は、センサー４４からのプランジャー位置信号に基づいてピストンポンプ１０５，１０６を作動させるように適合しており（例えば、コンピューター化されたコントローラーがプログラミングされ）、プランジャー４０が当該設備の作動の最中に言及された移動の範囲内に留まるようになっていることが把握されるであろう。例えば、一方のピストンポンプは、それぞれのその時は開いたバルブを介して、チャンバー３２の中へと塊を給送するように作動し、他方のピストンポンプは、そのそれぞれのその時は閉じたバルブを介して、チャンバー３２から切断され、前記の他方のピストンポンプが、食材の塊でポンプチャンバーを新たに充填するためにピストンを引き込むことを可能にするであろう。左側のピストンポンプおよび右側のピストンポンプを交互に繰り返すこのシーケンスを繰り返すことによって、連続する高性能の作動が達成され得、一方で、プランジャー４０は、チャンバー３２における塊の所望の、好ましくは実質的に一定である加圧を維持する。
【０２３５】
説明されたように、例えばドライブＭＤによって断続モードで旋回するドラム２２を用いた型キャビティの列の充填のタイミングおよび制御は、実施形態において、オリフィス付きの口本体３６ａ，ｂの開閉を制御するプレートバルブ３６ｃによって支配され得る。バルブ３６ｃのアクチュエーターは、その時はまた、コントローラー９０に接続されることが把握されるであろう。
【０２３６】
オリフィス付きの口本体３６ａ，ｂの存在は、例えば挽肉から家庭的なタイプの肉のパテを生産するために当該設備を最適化する。説明されたように、口本体のオリフィス付きのデザインの代わりに、単数のスロット口（それを通して型キャビティの列が充填される）が提供され得る。列は、ドラムの軸２４に対して平行である直線状の列であることが想定され得るが、渦巻形もしくは螺旋形の列、または、列になったキャビティのいくぶんねじれた配置構成もまた提供され得る。
【０２３７】
所望されれば、好ましくはないが、プランジャー４０は、一連のプランジャー（チャンバー３２における塊に対して作用し、その加圧を取得する）、または、かかる加圧を引き起こすいくつかのその他の配置構成によって置換され得ることが注目される。
【０２３８】
図９は、図１を参照して説明されたものと同一であり得る、既に説明された空気吐出システムを描いていない。
【０２３９】
所望されれば、図９の設備はまた、本発明の第２の態様により具現化され、かつ、適宜作動し得る。
【０２４０】
図１０を参照して、ここで本発明の第２の態様が説明されるであろう。
【０２４１】
図１０は、ポンピング可能な食材材料の塊から３次元製品Ｐを成形するための設備を概略的に示している。例えば、好ましくは、当該設備は、挽肉から家庭的なタイプの肉のパテを作るように作動する。 
【０２４２】
当該設備は、ホッパー２と、食材の塊用の給送ポンプ５と、給送ポンプドライブＭＰとを有する。これら構成要素は、本明細書にて上記で説明された特徴のうちの１つ以上を有していてもよい。
【０２４３】
当該設備はさらに、成形デバイス２０を有し、該成形デバイス２０は：
−  フレーム２１を有し、
−  移動可能な型部材２２（ここでは、型ドラムとして具現化される）を有し、
−  型部材ドライブＭＤを有し、該型部材ドライブＭＤは、経路に沿って型部材を、場合によっては段階的に移動させる（ここでは、ドラムを回転させる）ためのものであり、
−  プランジャー４０を有する塊給送部材３０を有し、該塊給送部材３０は、移動可能な型部材の経路に対して充填位置に配置され、
−  バルブ６０を有し、該バルブ６０は、塊給送部材における導入口およびバルブアクチュエーター６５と関連付けられ、
−  プランジャー脈動アセンブリー７０を有し、該プランジャー脈動アセンブリー７０は、プランジャー４０の周期的な脈動運動を引き起こすように適合しており、
−  成形された製品コンベヤ８０を有する。
【０２４４】
ドラム２２は、フレーム２１によって回転可能に支持されるので、回転または旋回するように具現化され、例えば、ドラム２２は、デバイス２０のフレーム２１によって運ばれる軸受１０において一端または両端にて支持されるシャフト上に取り付けられる。
【０２４５】
型ドラム２２は、外周ドラム表面２３と長手方向ドラム回転軸２４とを有する。ドラム２２は、ドラム回転軸（ここでは、−好ましくは−、水平軸）の周りを旋回するようにフレーム２１によって回転可能に支持される。
【０２４６】
型ドラム２２は、ドラム表面２３に多数の型キャビティ２５を有し、各キャビティ２５は、表面２３の平面に充填開口部を有し、該充填開口部は、型キャビティの中への食材の塊の導入のためのものであり、かつ、キャビティ２５からの製品の後の除去または解放のためのものである。
【０２４７】
描かれている例では、キャビティ２５は、キャビティ２５の充填開口部の反対側に底部を有する、ドラム本体の外表面２３における個別の凹部として具現化される。
【０２４８】
多数の型キャビティ２５は、多数のキャビティの列にてそれぞれ配置され、列におけるキャビティは、垂直軸方向の別個の位置に配置され、したがって、図１０の平面に対して直角をなし、かつ、軸２４に対して概して平行である。実施形態では、列のキャビティは、軸２４に対して平行に完全に整列し、別の実施形態では、キャビティは、列内でねじれていてもよい。
【０２４９】
型キャビティの列からの製品Ｐの吐出は、キャビティが多孔質材料壁部（それを通って、加圧ガス（例えば、空気）が、各キャビティから製品Ｐを解放するように追い出される）によって境界を作られることによって促進／実行されてもよい。ここでは、知られているように、ドラムは、空気チャンネル２２ａを、型キャビティ２５の各列について１つ備え、該空気チャンネル２２ａの中には、コンベヤ８０の上の解放位置にて空気が吹き込まれる。空気のこのバーストは、各チャンネル２２ａを通過し、その後、型キャビティ２５の関連付けられた列の多孔質材料壁部を通過する。システムは、図１を参照して説明されたものと同一であり得る。
【０２５０】
型部材ドライブＭＤは、好ましくは、電気ドライブ（例えば、サーボ制御された電気モーターを含む）であり、可変かつ制御可能であるドラム回転速度を可能にする。図１０に描かれている設備の使用中、ドラム２２は、非連続的な、多かれ少なかれ中断される方式で駆動されることが想定され、したがって、列が塊給送部材３０の排出口と位置が合うようになることと同期されて、ドラム２２の旋回の最中に、周期的な始動および停止、または、少なくとも周期的な減速および加速が存在する。したがって、ドライブＭＤは、型キャビティの列が、各列の充填プロセスの最中に、完全に停止するか、または、低い回転速度となることを引き起こすことが想定される。生産速度を最適化するために、ドラムは、その時、キャビティのさらなる列を排出口と位置が合った状態へと動かすために加速される。現行のサーボ制御された電気モーターは、型ドラム２２のかかる周期的運動を可能にする。
【０２５１】
全般的な意味で、塊給送部材３０は、対応する型キャビティ充填イベントにおいて型部材２２の型キャビティの列の中へと食材の塊を移送するように適合しており、該対応する型キャビティ充填イベントは、型キャビティ２５の列の中への食材の塊の第１の流れのモーメントおよび型キャビティが完全に充填され、かつ、その中における食材の塊の流れが終了するモーメントによって定められる。
【０２５２】
塊給送部材３０は、ドラムの円形経路に対して直角をなし、かつ、ドラム２２の軸２４に対して平行である、長手方向軸を有する細長いチャンバー３２を定めるハウジング３１を有する。
【０２５３】
ハウジング３１は、一対の離間した長い側壁３３（長さを有し、かつ、この長手方向軸に対して概して平行である）を有する。短い端面壁３４が、長い側壁３３にそのそれぞれの長手方向端部にて相互接続する。さらに、ハウジング３１は、充填位置にて型ドラム２２に面する底壁３６を有する。 
【０２５４】
図１０に示されている例では、本発明の第２の態様の文脈で好ましくは、底壁３６は、少なくともチャンバーの長さにわたるスロットを備え、かつ、このスロットには、多数の型キャビティ２５の列の経路にまたがるオリフィス付きの排出口を形成する排出口本体が配置され、食材の塊が前記のオリフィス付きの排出口を通って列の型キャビティの中へと流れるようになっている。
【０２５５】
塊給送部材３０は、単一の細長いプランジャー４０を備え、該単一の細長いプランジャー４０は、チャンバーにスライド可能に受け入れられ、底壁３６に対するプランジャー４０の移動の範囲で、底壁３６とは概して反対側に側壁３２と端面壁３３との間をスライドする。塊給送部材は一般的には水平軸タイプのドラム２２の上面に配置されるので（場合によっては、鉛直方向に対していくぶん傾いて）、プランジャーはチャンバーにおいて上下に移動すると言えるであろう。
【０２５６】
図１０では、１つの側壁３３が導入口３５を備え、該導入口３５は、前記側壁の長さの大部分（好ましくは、ほぼチャンバー３２の長さ）にまたがる１つ以上の導入開口部（ここでは１つの細長いスロット付きの開口部）によって形成される。この側壁３２および反対側の側壁３３ならびに端面壁３４はすべて、導入口３５の上を延びる部分を有する。
【０２５７】
バルブ６０は、バルブアクチュエーター６５によってオンデマンドでこの口３５を開閉するように提供される。
【０２５８】
当該設備はさらに、プランジャー脈動アセンブリー７０を有し、該プランジャー脈動アセンブリー７０は、ドライブＭＤによって支配されるように、型キャビティ２５の連続する列の、排出口との連続する位置合わせと同期されて、底壁に向かうプランジャー４０の移動の範囲でプランジャー４０の周期的な脈動運動を引き起こすように適合している。
【０２５９】
当該設備はさらに、コントローラー９０を有し、該コントローラー９０は、プランジャー脈動アセンブリー７０、バルブアクチュエーター６５および給送ポンプ５に連結される。
【０２６０】
コントローラー９０は、導入口３５のバルブ６０を作動させるように適合しており（例えば、コンピューター化されたコントローラーが導入口３５のバルブ６０を作動させるようにプログラミングされ）、バルブ６０が、型キャビティの列の、排出口との連続する位置合わせおよびプランジャー４０の連続する脈動運動と同期されて開閉し、型キャビティの列が排出口と位置が合った時にバルブ６０が閉じるようになっている。
【０２６１】
コントローラー９０は、プランジャー脈動アセンブリー７０を作動させるように適合しており、バルブ６０が閉じた状態では、単一の細長いプランジャー４０が、塊給送部材ハウジングの底壁に向かう脈動を実行し、そのことによってチャンバー３２内の食材の塊における圧脈、および、排出口と位置が合った型キャビティの列の中への食材の塊の加圧移送を引き起こす。
【０２６２】
コントローラー９０は、プランジャー４０の連続する脈動の間にバルブ６０を開け、かつ、給送ポンプ５を作動させるように適合しており、給送ポンプが、その時、食材の塊でチャンバー３２を補充するようになっている（ここでは、ホースまたはチューブ６３を通して）。
【０２６３】
好ましくは、プランジャー脈動アセンブリー７０は、図１０に示されているように、最も好ましくは細長いプランジャー４０の上面の直上に、１つ以上の空気圧式アクチュエーター（最も好ましくは、空気圧式ベローアクチュエーター）７１を有する。
【０２６４】
アセンブリー７０はまた、加圧空気の源７２を有し、該加圧空気の源７２は、例えば、圧縮機、圧縮空気貯蔵タンク（加圧空気の供給が貯蔵される）およびバルブ（コントローラー９０に連結され、かつ、１つ以上のアクチュエーター７１への加圧空気の連続するバーストを解放するように導かれる）を含む。
【０２６５】
ここで示されているように、オリフィス付きの排出口（それを通して、キャビティの列が一気に充填される）を有することが想定される（例えば、家庭的な肉のパテの生産のために）。場合によっては、上記で説明されたようなプレートバルブがオリフィス付きの排出口と関連付けられ、該プレートバルブは、オンデマンドでオリフィスを開閉する。
【０２６６】
例えば、むしろ冷たい（例えば、凍結温度近くの）挽肉から家庭的なパテ製品を作る時、オリフィス付きの排出口を用いた実用的な実施形態は、プランジャー脈動アセンブリー７０が、チャンバー３２内の挽肉の塊において、１０〜２０バールの圧力範囲に到達する圧脈を作り出すことを必要とするであろう。例えば、圧力ピークは、１２〜１６バールに存在する。閉じたバルブ６０は、この圧脈がバルブの上流に存在する塊に対して悪影響を有すること（例えば、それが長過ぎる期間過度に圧力をかけられることに起因して水分を失うことを引き起こすこと）を防止する。同時に、バルブ６０を閉じることは、上流の塊が所望の圧脈の作成を減衰させることを回避する。上流では、塊は、例えば約５バールの圧力にて保持され得、前記圧力は、連続する圧脈の間にチャンバー３２を補充するのに十分である。脈動の比較的高いピーク圧力と比較したバルブ６０の上流の塊の比較的低い圧力は、このように、塊の質にとって、したがって、形成される最終製品Ｐにとって好ましい。氷点付近では、水分を含有している肉の塊は、むしろ、温度の小さい変化に影響を受けやすく、かつ、いくぶんいっそう冷たい時にはオリフィス付きの排出口を通る流れに対してはっきりといっそうの抵抗を示すことが把握されるであろう。このことは、脈動アセンブリーの適切な設定によって補償され得る。
【０２６７】
オリフィス付きの口の開閉を制御するためにプレートバルブとともに用いられる時、プレートバルブが実際にオリフィスを開ける前に脈動アセンブリーを始動させることが実用的であろう。このことは、プレートバルブが、型キャビティの中への塊の流入の実際のモーメントを支配することを引き起こす。同様に、時間的にプレートバルブによるオリフィスの実際の閉鎖を越えて圧脈を継続することが実用的であり得、塊に対する圧力が充填イベント全体を通して維持されるようになっている。その後、プレートバルブが閉じた状態で、圧脈は終了し、かつ、バルブ６０はチャンバー３２を補充するために開く。
【０２６８】
塊給送部材チャンバー３２の中へと給送ポンプ５によってポンピングされる食材の塊の組成が、オリフィス付きの口本体におけるオリフィスに関連し、前記組成の食材の塊が、給送ポンプによって引き起こされる食材の塊の圧力の影響下ではオリフィス付きの口本体におけるオリフィスを通過し得ないようになっている本発明の第２の態様の実施形態もまた想定され得る。型キャビティの列の中へとオリフィスを通して塊を追い出すために、その後、脈動アセンブリー７０を作動させ、増大した圧力を有する脈を引き起こし、前記の食材の塊が、オリフィス付きの口本体におけるオリフィスを通過するようになっている。このことは、例えば、本明細書で説明されるように、プレートバルブを用いて分配することを可能にするであろう。
【０２６９】
本明細書に記載の設備は、適切な位置に１つ以上の圧力センサーを有していてもよいことが把握されるであろう（例えば、当該設備における１つ以上の位置での実際の塊の圧力を判定するために）。例えば、ポンプと塊給送部材との間のチャンバー内および／または型キャビティ内の実際の塊の圧力を感知するために、１つ以上の圧力センサーが提供される。
【０２７０】
チャンバー３２のサイズは、本発明の第１の態様または第２の態様による設備について同一であり得ることが把握されるであろう。
【０２７１】
図１１ａおよび図１１ｂは、型ドラム４００を示しており、該型ドラム４００は、それぞれ多数の型キャビティ２５の多数の列（例えば、４０１，４０２，４０３）を有する。これら列は、ドラム４００の外表面の周方向に離間している。各列（ここでは、４つのキャビティの）は、多数のキャビティのグループを形成する。
【０２７２】
型ドラム１００はさらに、空気ダクト４１１，４１２，４１３を備え、該空気ダクト４１１，４１２，４１３はそれぞれ、型キャビティの専用の列４０１，４０２，４０３に接続されるか、または、型キャビティの専用の列４０１，４０２，４０３と連通する。 
【０２７３】
見られ得るように、列４０１，４０３の型キャビティはすべて同一であり、一方で、列４０２のキャビティは、別の形状の食料製品を作るためにデザインが異なる。
【０２７４】
図１１ａでは、ダクト４１１，４１３は、型ドラム４００の１つの（目に見えない）端部に入口を有し（例えば、知られているように、ドラムの前方軸方向面に）、一方で、ダクト４１２は、ドラム４００の反対側の軸方向端部に入口を有する（ここでも前方軸方向面に）。
【０２７５】
図１１ｂは、ドラム４００と、ドラム１００と組み合されて用いられる加圧空気吐出システムとを示している。このシステムは、ドラム４００におけるダクト４１１，４１２，４１３および加圧空気源を有し、該加圧空気源は、圧縮機１５１を有し、圧縮された空気用の２つの貯蔵タンク１５２ａ，ｂを有し、２つの圧力レギュレーターバルブ１５３ａ，ｂ（それぞれ、各タンクにおける圧力を調整し、貯蔵タンクにおいて異なる圧力レベルを設定することを可能にする）を有し、かつ、各タンクの出口に空気制御バルブ１５４ａ，ｂを有する。
【０２７６】
また、旋回する型ドラムの前記の第１の軸方向端部に隣接して第１の空気放出器１５５ａが配置され、型キャビティの前記列からの食料製品の吐出のために空気ダクト４１２へと第１の列の吐出空気圧にて空気を提供し、かつ、反対側の軸方向端部に隣接して第２の空気放出器１５５ｂが配置され、型キャビティの前記の第２の列からの食料製品の吐出のために前記の第２の空気ダクト４１１，４１３へと前記の第２の列の吐出空気圧にて空気を提供する。
【０２７７】
描かれているアプローチは、１つの列から隣の列へと異なる型キャビティを有する少なくとも２つの列の存在を考慮して、各列からの空気吐出を最適化することを可能にする。
【０２７８】
例えば、コントローラー９０は、入力される標的パラメーターに基づいて、加圧空気源による、前記の第１のグループからの食料製品の吐出のための第１のグループの吐出空気圧および前記の第２のグループからの食料製品の吐出のための異なる第２のグループの吐出空気圧を自動的に設定するように適合している（例えば、コンピューター化されたコントローラーがプログラミングされる）。コントローラー９０は、その時、バルブ１５４ａ，ｂを制御し、各タンクが所望の空気ダクトに接続され、かつ、型キャビティの列から製品を吐出するための適切な空気吐出を有するようになっている。
【０２７９】
同一のアプローチはまた、異なる型キャビティが列毎にまとめられてはおらず、しかし、例えば、１つの列がキャビティデザインの交互の繰り返しを有する型ドラムについて行われてもよい。
【０２８０】
図１２を参照すると、型ドラム２２は、方向Ｄにドラム回転軸２４の周りを旋回するように、フレーム（例えば、図１に示されているデバイスの）によって回転可能に支持されると理解されることが把握されるであろう。所望されれば、ドラム２２の回転は、連続する速度であり得、または、スタート・ストップ方式であり得、例えば、口１８と連通する時に周期的に減速および加速して、停止した、または、低速の型キャビティまたは型キャビティの列を有する。
【０２８１】
図１２は、加圧空気食料製品吐出システムを示しており、型ドラム２２は、型キャビティ２５へと延びる空気ダクト２２ａを有する（例えば、型キャビティの長手方向の列毎に１つの空気ダクト）。型キャビティ２５の範囲を定める表面の少なくとも一部が、空気透過性である（例えば、多孔質材料（例えば、多孔質焼結金属）でできている）。各ダクト２２ａは、前記型キャビティ２５のうちの１つ以上へと空気を輸送するように適合しており、前記空気が前記空気透過性型キャビティ表面部分を通過するようになっている。
【０２８２】
この空気吐出システムはさらに、加圧空気源１５０を有し、該加圧空気源１５０は、その製品解放位置（ここでは、コンベヤ８０の上の円形軌道の底部付近）において１つ以上の型キャビティ２５と関連付けられた空気ダクト２２ａへとその調整された吐出空気圧にて加圧空気を給送し、この製品解放位置において１つ以上の型キャビティからの成形された食料製品Ｐの吐出を促進し、かつ／または、引き起こすように作動可能である。
【０２８３】
吐出システムは、空気圧縮機１５１を有し、加圧空気貯蔵タンク１５２を有し、圧力調整バルブ１５３を有し、かつ、タンク１５２の出口に空気制御バルブ１５４を有する。この源１５０は、ドラム２２付近の（例えば、ドラム２２の軸方向端部の近くの）フレーム上に配置された空気放出器１５５へとその調整された吐出空気圧にて加圧空気を給送するように作動可能である。作動中、ドラムのダクト２２ａの入口は、空気放出器１５５をシーケンシャルに通り、かつ、それと位置が合い；バルブ１５４は、その時、一時的に開き、ダクト２２ａの中へと空気のバーストを放出する。この空気は、その後、前記ダクト２２ａに接続された１つ以上のキャビティ２５の透過性表面から外に出るように流れ、かつ、本分野で知られているように、図１２に描かれているように、製品解放位置において前記の１つ以上の型キャビティからの成形された食料製品の吐出を促進し、かつ／または、引き起こす。
【０２８４】
ドラムからの成形された製品の吐出のプロセスに加圧空気が用いられることに加え、加圧空気はここでまた、型ドラムの汚れに反作用するプロセスに用いられている（例えば、型キャビティの透過性表面上の残渣の層の蓄積に反作用する）。
【０２８５】
図１２は、当該設備がさらに、型キャビティ空気パージアセンブリー２５０を有することを示しており、該型キャビティ空気パージアセンブリー２５０は、加圧空気食料製品吐出システムとは独立して作動可能かつ制御可能であり、かつ、前記の関連付けられた１つ以上の型キャビティの製品解放位置と充填位置との中間に位置するその型キャビティ空気パージ位置にある時に、加圧空気源から、１つ以上の型キャビティ２５と関連付けられた前記空気ダクト２２ａのうちの前記の１つ以上へと加圧空気のバーストを給送し、成形された食料製品の吐出が起こった後であって、かつ、型キャビティにて製品を形成するために前記型キャビティを充填する前に、加圧空気の前記バーストによって食材の塊の残渣をゆるくすること、または、除去することを引き起こすように適合している。
【０２８６】
いっそう詳細には、型キャビティ空気パージアセンブリー２５０は、ここでは、第２の空気圧縮機２５１を有し、第２の加圧空気貯蔵タンク２５２を有し、第２の圧力調整バルブ２５３を有し、かつ、第２の空気タンク２５２の出口に第２の、またはパージ空気制御バルブ２５４を有する。このアセンブリーはさらに、第２の、または第１の空気放出器１５５に対して下流の空気放出器２５５を有し、該空気放出器２５５は、ドラム２２付近（例えば、ドラム２２の軸方向端部付近）でフレーム上に配置される。作動中、ドラムのダクト２２ａの入口は、空気パージ空気放出器２５５をシーケンシャルに通過し、かつ、それと位置が合い；バルブ２５４は、その時、一時的に開き、ダクト２２ａの中へと空気のバーストを放出する。空の型キャビティ２５もしくは空のキャビティ２５の列につながるダクト２２ａまたはダクト（複数）の中へと空気をバーストすることによって、食材の塊のあらゆる残渣が、残渣がゆるくなること、または、完全に動かされ、かつ、除去されることを引き起こす機械力に曝される。このプロセスは、当該設備が食料製品の生産のために作動中である間に行われ、かつ、前記生産を妨害しない。 
【０２８７】
図１２は、ドラム表面２３に対してこの型キャビティ空気パージ位置に残渣収集器１６０が配置され、動かされた食材の塊の残渣を収集することを示している。例えば、残渣収集器は真空システムを含み、該真空システムは、あらゆる残渣を吸い取り、かつ、収集器容器の中へと残渣を搬送する（例えば、吸引ファンと、例えばサイクロン式セパレーターのようなセパレーターデバイスとを用いて）。
【０２８８】
空気吐出プロセスと空気パージプロセスとは、互いに独立して作動可能であることが把握されるであろう。このことは、例えば、好ましくは、例えばプログラミングされたコントローラー９０によって、選択可能な頻度でアセンブリー２５０による空気の前記パージバーストを引き起こすことを可能にする（例えば、ドラムの多数の旋回毎にダクトに接続されたキャビティまたはキャビティの列毎に１つのバースト（例えば、ドラムが５回旋回する毎に一度））。
【０２８９】
例えば、空気パージの頻度は、当該設備のオペレーターによって、かつ／または、プログラミングされたコントローラー９０上で実行される自動化されたルーチンに基づいて設定可能である。パージの頻度を設定する選択肢を有することによって、この目的での加圧空気の過度の消費を回避する一方で、効果的なパージが取得され得る。
【０２９０】
独立した空気パージを有することによってもたらされる別の可能性は、パージ空気バーストが、成形された食料製品の吐出の目的でダクトの中へと給送される空気とは別の圧力の空気を用いて実行されてもよいことである。例えば、パージ空気バーストは、吐出用よりもいっそう高圧の空気を用いて実行される（例えば、いっそう短期間で）。したがって、タンク２５２がタンク１５２より高い圧力で保持されることが想定され得る。
【０２９１】
オペレーターがパラメーター（例えば、パージ空気バーストの圧力、頻度、タイミングおよび／または期間）のうちの１つ以上を設定する代わりに、または、パラメーターのうちの１つ以上を設定することと組み合わせて、型キャビティ空気パージアセンブリーがコンピューター化されたコントローラー９０（当該設備によって取り扱われる食材の塊、クリーニングされた型ドラムの最初の使用から経過した時間もしくは充填イベントの数、標的充填圧力のうちの少なくとも１つ、または、それらの任意の組み合わせに基づいて、パージのための空気のバーストを制御するようにプログラミングされた）によって制御されることが想定され得る。コントローラーは、バーストの圧力および／または期間を設定することを伴ってもよい。
【０２９２】
本明細書に記載のパージプロセスは、食料製品の成形もドラム５からのその吐出も妨害しないことが把握されるであろう。 
【０２９３】
図１３は、加圧空気食料製品吐出システムを示しており、型ドラム２２は、型キャビティ２５へと延びる空気ダクト２２ａを有する（例えば、型キャビティの長手方向の列毎に１つの空気ダクト）。型キャビティ２５の範囲を定める表面の少なくとも一部が、空気透過性である（例えば、多孔質材料（例えば、多孔質焼結金属）でできている）。各ダクト２２ａは、前記型キャビティ２５のうちの１つ以上へと空気を輸送するように適合しており、前記空気が前記空気透過性型キャビティ表面部分を通過するようになっている。
【０２９４】
この空気吐出システムはさらに、加圧空気源３５０を有し、該加圧空気源３５０は、その製品解放位置（ここでは、コンベヤ８０の上の円形軌道の底部付近）において１つ以上の型キャビティ２５と関連付けられた空気ダクト２２ａへとその調整された吐出空気圧にて加圧空気を給送し、この製品解放位置において１つ以上の型キャビティ１０からの成形された食料製品Ｐの吐出を促進し、かつ／または、引き起こすように作動可能である。
【０２９５】
吐出システムは、第１の空気圧縮機３５１を有し、第１の加圧空気貯蔵タンク３５２を有し、第１の圧力調整バルブ３５３を有し、かつ、第１のタンク３５２の出口に第１の空気制御バルブ３５４を有する。 
【０２９６】
この例では、吐出システムはまた、第２の空気圧縮機３６１を有し、第２の加圧空気貯蔵タンク３６２を有し、第２の圧力調整バルブ３６３を有し、かつ、第２のタンク３６２の出口に第２の空気制御バルブ３６４を有する。 
【０２９７】
全般的に、前述した源１５０と同様、空気吐出システムは、ドラム２２付近（例えば、ドラム２２の軸方向端部付近）でフレーム上に配置された吐出空気放出器１５５へと、その調整された吐出空気圧にて加圧空気を給送するように作動可能である。作動中、ドラムのダクト２２ａの入口は、空気放出器１５５をシーケンシャルに通り、かつ、それと位置が合い、ダクト２２ａの中への吐出空気の導入を可能にする。この空気は、その後、前記ダクト２２ａに接続された１つ以上のキャビティ２５の透過性表面から外に出るように流れ、かつ、本分野で知られているように、製品解放位置における前記の１つ以上のキャビティからの成形された食料製品の吐出を促進し、かつ／または、引き起こす。
【０２９８】
アセンブリー３５０は、吐出空気の圧力を調整し、単一の空気吐出イベントの最中に可変の圧力レベルで各空気ダクト２２ａへと空気を提供することを可能にすることが想定される（例えば、まずはいっそう低い空気圧にて、かつ、後でいっそう高い空気圧にて）。
【０２９９】
例えば、加圧空気は、比較的高圧で第１の空気貯蔵タンク３５２に貯蔵され、かつ、比較的低圧で第２の貯蔵タンク３６２に貯蔵される。バルブ３５４およびバルブ３６４の適切な制御によって、−単一の吐出イベントの最中に−、第１の空気貯蔵タンク３５２からの空気が吐出イベントの期間の一方の部分の最中にダクト２２ａの中へと解放され、かつ、第２の貯蔵タンク２６４からの空気が吐出イベントの期間の他方の部分の最中にダクト２２ａの中へと解放されるという効果が達成され得る。ダクト２２ａは、実用的な実施形態においては、１分毎に１００を超えるダクト（例えば、１分毎に２００〜２５０のダクト）の速度にて放出器１５５を通ってもよいので、このことは、例えば直動形電磁バルブを用いて可能であるミリ秒ドメインにおけるバルブ３５４，３６４のタイミングの制御を伴ってもよい。バルブ３５４，３６４は、放出器１５５付近に配置されてもよい。
【０３００】
図示されている設備の実用的な作動では、まず、第２の貯蔵タンク３６２のバルブ３６４は、比較的（第１の貯蔵タンク３５２におけるいっそう高い圧力と比べて）低い第２の圧力の空気がダクト２２ａの中へと給送され、例えば、キャビティ２５からの成形された製品の初期の解放を引き起こすように開く。その後、非常に小さいラグタイムで、第１の貯蔵タンク３５２からのいっそう高圧の空気のバーストがバルブ３５４によって解放され、かつ、解放された製品Ｐがキャビティ２５から効果的に放出されることを引き起こすのに用いられる。実施形態では、第１の空気圧の初期の適用およびその後のいっそう低い第２の空気圧の適用もまた想定され得る。
【０３０１】
図１４ａは、ドラム軸に対して概して平行である型キャビティの列５２１，５２２，５２３を有する型ドラム５２０を示している。キャビティの各列について、専用の空気ダクト５２４，５２５，５２６が、ドラムに提供される。これらダクト５２４，５２５，５２６は、ここではそれぞれ、ドラムの両方の軸方向端部に入口または開口部を有する（例えば、ここで描かれているようにドラム５２０の後部面に）。
【０３０２】
図１４ｂは、ドラム５２０の経路の反対側の軸方向端部における２つの吐出空気放出器１５５ａ，ｂの提供を示しており、一方の空気放出器１５５ａは、バルブ２５４を介して第１の貯蔵タンク２５２に接続され、かつ、第２の吐出空気放出器１５５ｂは、バルブ２６４を介して第２の貯蔵タンク２６２に接続される。この配置構成は、型キャビティから製品を吐出するために２つのレベルの空気圧バーストを取得することを可能にすることが把握されるであろう。
【０３０３】
単一の空気吐出イベントの最中の吐出空気の可変圧力レベル（例えば、２つの別個の圧力レベル）の使用は、成形された食料製品の解放および吐出を最適化するのに役立ち、かつ、この目的での加圧空気の使用を最適化するのに役立つであろう。所望されれば、単一の空気吐出イベントの期間にわたる空気圧の変化を取得するために、いっそう複雑な配置構成が可能であることが把握されるであろう（例えば、急速に反応する空気圧制御バルブを用いて）。 
【図１】
2020513752.tif 000003
【図２】
2020513752.tif 000004
【図３】
2020513752.tif 000005
【図４】
2020513752.tif 000006
【図５】
2020513752.tif 000007
【図６】
2020513752.tif 000008
【図７】
2020513752.tif 000009
【図８】
2020513752.tif 000010
【図９】
2020513752.tif 000011
【図１０】
2020513752.tif 000012
【図１１】
2020513752.tif 000013
【図１２】
2020513752.tif 000014
【図１３】
2020513752.tif 000015
【図１４】
2020513752.tif 000016
【国際調査報告】
2020513752.tif 000017
2020513752.tif 000018
2020513752.tif 000019
2020513752.tif 000020
2020513752.tif 000021